(57)【要約】  無線通信システムは、基地局（１０２）と無線局（１０１）とを含む。基地局（１０２）は、第１の制御信号によって上りデータの送信に用いられる無線パラメータを事前に予約する。また、基地局（１０２）は、第２の制御信号を受信すると、第３の制御信号を送信することによって上りデータの送信許可を与える。無線局（１０１）は、第２の制御信号を送信すると、第３の制御信号を受信し、第１の制御信号によって設定された無線パラメータを使用して上りデータ送信を実施する。
2013190669.tif 000002
【特許請求の範囲】
【請求項１】
基地局と無線局とを含む無線通信システムであって、
前記基地局は、前記無線局へ送信する第１の制御信号によって上りデータの送信に用いられる周波数リソースおよび通信方式の少なくとも一方を含む無線パラメータを事前に予約し、前記無線局から第２の制御信号を受信すると、前記無線局へ第３の制御信号を送信することによって上りデータの送信許可を与え、
前記無線局は、前記基地局へ前記第２の制御信号を送信すると、前記基地局から前記第３の制御信号を受信し、前記基地局から受信した前記第１の制御信号によって設定された無線パラメータを使用して前記基地局への上りデータの送信を実施することを特徴とする無線通信システム。
【請求項２】
前記第１の制御信号によって設定された無線パラメータを使用して、複数回の前記上りデータの送信を実施することを特徴とする請求項１に記載の無線通信システム。
【請求項３】
前記第１の制御信号は、前記無線パラメータの複数の候補を含み、
前記無線局は、前記複数の候補から選択した無線パラメータを使用して前記上りデータの送信を実施することを特徴とする請求項１または２に記載の無線通信システム。
【請求項４】
前記無線局の状態に応じて、前記第１の制御信号によって設定された無線パラメータに基づいて前記上りデータの送信を行う状態と、前記第１の制御信号によって設定された無線パラメータによらずに前記上りデータの送信を行う状態と、を切り替えることを特徴とする請求項１〜３のいずれか一つに記載の無線通信システム。
【請求項５】
前記第３の制御信号は、前記上りデータの送信を許可するか否かを示す肯定信号または否定信号であることを特徴とする請求項１〜３のいずれか一つに記載の無線通信システム。
【請求項６】
前記基地局は、前記第３の制御信号をＰＨＩＣＨ（Ｐｈｙｓｉｃａｌ  ＨＡＲＱ  Ｉｎｄｉｃａｔｏｒ  Ｃｈａｎｎｅｌ：物理ＨＡＲＱインジケータチャネル）によって送信することを特徴とする請求項５に記載の無線通信システム。
【請求項７】
前記基地局は、前記第２の制御信号を受信してから一定時間経過時に前記第３の制御信号を送信することを特徴とする請求項１〜６のいずれか一つに記載の無線通信システム。
【請求項８】
前記第２の制御信号は、前記上りデータの送信の許可を要求する信号であることを特徴とする請求項１〜７のいずれか一つに記載の無線通信システム。
【請求項９】
上りデータの送信に用いられる周波数リソースおよび通信方式の少なくとも一方を含む無線パラメータが事前に設定されて基地局と無線通信を行う無線局であって、
前記無線パラメータの設定に用いられる第１の制御信号を前記基地局から受信し、上りデータが発生して第２の制御信号を前記基地局へ送信すると、第３の制御信号を前記基地局から受信する通信部と、
前記第３の制御信号を受信すると、事前に設定された前記無線パラメータを使用して前記上りデータを前記基地局へ送信するように制御する制御部と、
を有することを特徴とする無線局。
【請求項１０】
上りデータの送信に用いられる周波数リソースおよび通信方式の少なくとも一方を含む無線パラメータを事前に設定して無線局と無線通信を行う基地局であって、
前記無線パラメータを事前設定するのに用いられる第１の制御信号を前記無線局へ送信し、第２の制御信号を前記無線局から受信し、第３の制御信号を前記無線局へ送信する通信部と、
前記第３の制御信号を送信すると、事前に設定された前記無線パラメータを使用して前記上りデータを前記無線局から受信するように制御する制御部と、
を有することを特徴とする基地局。
【請求項１１】
上りデータの送信に用いられる周波数リソースおよび通信方式の少なくとも一方を含む無線パラメータが事前に設定されて基地局と無線通信を行う無線局における通信方法であって、
前記無線パラメータの設定に用いられる第１の制御信号を前記基地局から受信し、上りデータが発生して第２の制御信号を前記基地局へ送信すると、第３の制御信号を前記基地局から受信し、
前記第３の制御信号を受信すると、事前に設定された前記無線パラメータを使用して前記上りデータを前記基地局へ送信する、
ことを特徴とする通信方法。
【請求項１２】
上りデータの送信に用いられる周波数リソースおよび通信方式の少なくとも一方を含む無線パラメータを事前に設定して無線局と無線通信を行う基地局における通信方法であって、
前記無線パラメータを事前設定するのに用いられる第１の制御信号を前記無線局へ送信し、第２の制御信号を前記無線局から受信し、第３の制御信号を前記無線局へ送信し、
前記第３の制御信号を送信すると、事前に設定された前記無線パラメータを使用して前記上りデータを前記無線局から受信する、
ことを特徴とする通信方法。
【発明の詳細な説明】
【技術分野】
【０００１】
本発明は、無線通信システム、無線局、基地局および通信方法に関する。
【背景技術】
【０００２】
従来、たとえば３ＧＰＰ（３ｒｄ  Ｇｅｎｅｒａｔｉｏｎ  Ｐａｒｔｎｅｒｓｈｉｐ  Ｐｒｏｊｅｃｔ）において、無線通信システムの上り通信を実施するための方式の一例としてスケジューリングリクエスト（ＳＲ：Ｓｃｈｅｄｕｌｉｎｇ  Ｒｅｑｕｅｓｔ）方式が規定されている（たとえば、下記特許文献１および非特許文献１参照。）。【０００３】
スケジューリングリクエスト方式においては、無線局は、上りデータの到着を検出し、レギュラーＢＳＲ（Ｒｅｇｕｌａｒ  Ｂｕｆｆｅｒ  Ｓｔａｔｕｓ  Ｒｅｐｏｒｔｉｎｇ）を送信する場合に、スケジューリングリクエストを基地局へ送信する。レギュラーＢＳＲは、ＱｏＳ（Ｑｕａｌｉｔｙ  ｏｆ  Ｓｅｒｖｉｃｅ）が高いデータや新規データの到着時に送信される。【０００４】
また、無線局は、上り制御チャネルであるＰＵＣＣＨ（Ｐｈｙｓｉｃａｌ  Ｕｐｌｉｎｋ  Ｃｏｎｔｒｏｌ  Ｃｈａｎｎｅｌ：物理上りリンク制御チャネル）でＳＲリソースが割り当てられていれば、ＰＵＣＣＨによってスケジューリングリクエストを基地局へ送信する。また、無線局は、ＰＵＣＣＨでＳＲリソースが割り当てられていなければ、ランダムアクセスによって上りデータのスケジューリングを基地局に要求する。【０００５】
基地局は、無線局からスケジューリングリクエストを受信すると、下り制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ：物理下りリンク制御チャネル）によって無線局に上り送信許可を与える。【０００６】
たとえば、基地局は、無線局に到着しているデータ量を把握するために、ＢＳＲを送信できる程度の上りリソースを無線局に割り当てる。これに対して、無線局は、基地局から割り当てられた上りリソースによってＢＳＲを報告する。これにより、基地局は、無線局に到着したデータ量を把握し、以降、ＰＤＣＣＨにより上り送信許可を与える。【０００７】
無線局は、上り送信許可が通知されると、ＰＤＣＣＨによって指定された無線パラメータを用いて上りデータをＰＵＳＣＨ（Ｐｈｙｓｉｃａｌ  Ｕｐｌｉｎｋ  Ｓｈａｒｅｄ  Ｃｈａｎｎｅｌ：物理上りリンク共有チャネル）で送信する。無線パラメータには、たとえば周波数リソース、変調方式、符号化方式などのパラメータが含まれる。
【先行技術文献】
【特許文献】
【０００８】
【特許文献１】国際公開第２００９／１２８２８５号
【非特許文献】
【０００９】
【非特許文献１】３ＧＰＰ  ＴＳ３６．３２１、“Ｍｅｄｉｕｍ  Ａｃｃｅｓｓ  Ｃｏｎｔｒｏｌ（ＭＡＣ）  ｐｒｏｔｏｃｏｌ  ｓｐｅｃｉｆｉｃａｔｉｏｎ”、Ｖ１０．４．０、Ｒｅｌｅａｓｅ１０、２０１１年１２月
【発明の概要】
【発明が解決しようとする課題】
【００１０】
しかしながら、上述した従来技術では、上りデータの送信ごとに制御信号のオーバーヘッドが生じるため、上りデータの送信が頻繁に行われると効率よく通信を行うことができない場合がある。【００１１】
本発明は、上述した従来技術による問題点を解消するため、通信の効率化を図ることができる無線通信システム、無線局、基地局および通信方法を提供することを目的とする。
【課題を解決するための手段】
【００１２】
上述した課題を解決し、目的を達成するため、本発明の一側面によれば、基地局が、第１の制御信号によって上り送信に用いられる周波数リソースを事前に予約し、第２の制御信号を受信すると、第３の制御信号を送信することによって上りデータの送信許可を与え、無線局が、前記第２の制御信号を送信すると、前記第３の制御信号を受信し、前記第１の制御信号によって設定された周波数リソースを使用して上りデータ送信を実施する無線通信システム、無線局、基地局および通信方法が提案される。
【発明の効果】
【００１３】
本発明の一側面によれば、通信の効率化を図ることができるという効果を奏する。
【図面の簡単な説明】
【００１４】
【図１】図１は、実施の形態１にかかる無線通信システムの動作の一例を示すシーケンス図である。
【図２】図２は、実施の形態２にかかる無線通信システムの動作の一例を示すシーケンス図である。
【図３】図３は、無線通信システムのＲＲＣ接続動作の一例を示すシーケンス図である。
【図４】図４は、無線局の構成の一例を示す図である。
【図５】図５は、基地局の構成の一例を示す図である。
【図６】図６は、実施の形態２にかかる無線局の動作の一例を示すフローチャートである。
【図７】図７は、実施の形態２にかかる基地局の動作の一例を示すフローチャートである。
【図８】図８は、実施の形態４にかかる無線通信システムの動作の一例を示すシーケンス図である。
【図９】図９は、ＭＡＣ  ＣＥの送受信動作の一例を示すシーケンス図である。
【図１０】図１０は、実施の形態４にかかる無線局の動作の一例を示すフローチャートである。
【図１１】図１１は、実施の形態４にかかる基地局の動作の一例を示すフローチャートである。
【図１２】図１２は、無線局のハードウェア構成の一例を示す図である。
【図１３】図１３は、基地局のハードウェア構成の一例を示す図である。
【発明を実施するための形態】
【００１５】
以下に添付図面を参照して、本発明にかかる無線通信システム、無線局、基地局および通信方法の実施の形態を詳細に説明する。
【００１６】
（実施の形態１）
（無線通信システム）
図１は、実施の形態１にかかる無線通信システムの動作の一例を示すシーケンス図である。実施の形態１にかかる無線通信システムは、図１に示す無線局１０１と基地局１０２とを含んでいる。基地局１０２は、たとえばｅＮＢ（ｅｖｏｌｖｅｄ  Ｎｏｄｅ  Ｂ）である。無線局１０１は、たとえばＵＥ（Ｕｓｅｒ  Ｅｑｕｉｐｍｅｎｔ：ユーザ端末）である。無線局１０１と基地局１０２は互いに無線通信を行う。
【００１７】
まず、基地局１０２が、第１の制御信号を無線局１０１へ送信する（ステップＳ１０１）。具体的には、基地局１０２は、無線局１０１から基地局１０２への上りデータの送信に用いる無線パラメータを決定し、決定した無線パラメータを含む第１の制御信号を無線局１０１へ送信する。無線パラメータには、周波数リソース（無線リソース）と、変調方式や符号化方式などの通信方式と、の少なくとも一方のパラメータが含まれる。つぎに、無線局１０１および基地局１０２が、ステップＳ１０１によって送信された第１の制御信号が示す無線パラメータを自身に設定する（ステップＳ１０２）。
【００１８】
つぎに、無線局１０１が、基地局１０２へ送信すべき上りデータが発生した場合に、第２の制御信号を基地局１０２へ送信する（ステップＳ１０３）。第２の制御信号は、ステップＳ１０２によって設定した無線パラメータによる上りデータの送信の許可を基地局１０２に要求する信号である。
【００１９】
つぎに、基地局１０２が、第３の制御信号を無線局１０１へ送信する（ステップＳ１０４）。第３の制御信号は、ステップＳ１０２によって設定した無線パラメータによる上りデータの送信を許可するか否かを示す信号である。たとえば、基地局１０２は、無線局１０１による上りデータの送信を許可する場合は、上りデータの送信を許可する旨の第３の制御信号を無線局１０１へ送信する。
【００２０】
これに対して、無線局１０１は、ステップＳ１０２によって設定した無線パラメータによって上りデータを基地局１０２へ送信する（ステップＳ１０５）。なお、基地局１０２は、無線局１０１による上りデータの送信を許可しない場合は、ステップＳ１０４において、上りデータの送信を許可しない旨の第３の制御信号を無線局１０１へ送信する。この場合は、無線局１０１は、ステップＳ１０５による上りデータの送信を行わない。
【００２１】
つぎに、無線局１０１は、未送信の上りデータが残っていたり、上りデータが新たに発生したりした場合に、第２の制御信号を基地局１０２へ送信する（ステップＳ１０６）。つぎに、基地局１０２が、第３の制御信号を無線局１０１へ送信する（ステップＳ１０７）。たとえば、基地局１０２は、無線局１０１による上りデータの送信を許可する場合は、上りデータの送信を許可する旨の第３の制御信号を無線局１０１へ送信する。
【００２２】
これに対して、無線局１０１は、ステップＳ１０２によって設定した無線パラメータによって上りデータを基地局１０２へ送信する（ステップＳ１０８）。なお、基地局１０２は、無線局１０１による上りデータの送信を許可しない場合は、ステップＳ１０７において、上りデータの送信を許可しない旨の第３の制御信号を無線局１０１へ送信する。この場合は、無線局１０１は、ステップＳ１０８による上りデータの送信を行わない。
【００２３】
以降、無線局１０１および基地局１０２は、上りデータの送信ごとに、ステップＳ１０６〜Ｓ１０８と同様の動作を行う。
【００２４】
このように、事前（通信開始時）に設定した無線パラメータで無線局１０１から基地局１０２へ上りデータを送信することにより、上りデータの送信に伴う制御信号のオーバーヘッドを削減することができる。たとえば、ステップＳ１０５，Ｓ１０８において上りデータを送信する場合に無線パラメータを新たに基地局１０２から無線局１０１へ通知しなくてもよいため、上りデータの送信に伴う制御信号のオーバーヘッドを削減することができる。このため、通信の効率化を図ることができる。たとえば、無線局１０１および基地局１０２の消費電力の低減を図ることができる。
【００２５】
無線局１０１は、たとえば、少量の上りデータを定期的に送信する無線通信装置である。この場合は、上りデータの送信のたびに無線パラメータを基地局１０２から無線局１０１へ通知すると、送信する上りデータに対する制御信号のオーバーヘッドの比率が大きくなり、効率よく通信を行うことができない。これに対して、無線局１０１および基地局１０２は、事前に設定した無線パラメータで複数回の上りデータの送信を行うことによって、送信する上りデータに対する制御信号のオーバーヘッドの比率が小さくなり、効率よく通信を行うことができる。
【００２６】
また、たとえば、無線局１０１は、特定の場所に固定されて無線通信を行う据え置き型の無線通信装置である。この場合は、無線局１０１と基地局１０２との間の無線環境の変動は小さい。このため、上りデータを送信するたびに無線パラメータを更新しなくても、無線局１０１と基地局１０２との間で安定して無線通信を行うことができる。
【００２７】
また、第１の制御信号には、上りデータの送信に用いる無線パラメータの複数の候補が含まれていてもよい。この場合は、無線局１０１は、上りデータの送信に、複数の候補から任意に選択した無線パラメータを用いる。これに対して、基地局１０２は、複数の候補のうちのいずれの無線パラメータによって上りデータが送信されても受信できるように受信動作を行う。これにより、上りデータを送信するたびに無線パラメータを通知して更新しなくても、状況に応じて無線局１０１が無線パラメータを選択して上りデータを送信することができる。このため、無線パラメータの設定の自由度を向上させることができる。
【００２８】
なお、ここでは、一例として無線局１０１および基地局１０２を含む無線通信システムについて説明するが、無線通信システムの構成はこれに限らない。たとえば、図１に示した無線通信システムにおいて、無線局１０１に代えて中継局を設けた構成としてもよい。または、図１に示した無線通信システムにおいて、基地局１０２に代えて中継局を設けた構成としてもよい。
【００２９】
このように、実施の形態１にかかる無線通信システムにおいては、基地局１０２は、第１の制御信号によって上り送信に用いられる無線パラメータを事前に予約する。そして、基地局１０２は、無線局１０１から第２の制御信号を受信すると、無線局１０１へ第３の制御信号を送信することによって上りデータの送信許可を与える。
【００３０】
これに対して、無線局１０１は、基地局１０２へ第２の制御信号を送信すると、基地局１０２から第３の制御信号を受信し、第１の制御信号によって設定された無線パラメータを使用して上りデータ送信を実施する。これにより、上りデータの送信に伴う制御信号のオーバーヘッドを削減し、通信の効率化を図ることができる。たとえば、無線局１０１および基地局１０２の消費電力の低減を図ることができる。
【００３１】
＜無線通信システムが適用されるシステムの一例について＞
つぎに、図１に示した無線通信システムが適用されるシステムの一例について説明する。図１に示した無線通信システムは、たとえばＬＴＥ（Ｌｏｎｇ  Ｔｅｒｍ  Ｅｖｏｌｕｔｉｏｎ）に適用することができる。ＬＴＥでは、無線アクセス技術としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）をベースとした方式が規定されている。
【００３２】
ＬＴＥでは、下りのピーク伝送レートが１００［Ｍｂ／ｓ］以上、上りのピーク伝送レートが５０［Ｍｂ／ｓ］以上の高速無線パケット通信が可能となる。国際標準化団体である３ＧＰＰでは、さらなる高速通信の実現に向けて、ＬＴＥをベースとした移動無線通信システムＬＴＥ−Ａ（ＬＴＥ−Ａｄｖａｎｃｅｄ）の検討が始まっている。
【００３３】
図１に示した無線通信システムは、ＬＴＥ−Ａに適用することもできる。ＬＴＥ−Ａでは、下りのピーク伝送レートは１［Ｇｂ／ｓ］、上りのピーク伝送レートは５００［Ｍｂ／ｓ］が目標とされており、無線アクセス方式やネットワークアーキテクチャなどの技術の検討が行われている。
【００３４】
ＬＴＥ−Ａ（またはＬＴＥ  Ｒｅｌ−１１）では、従来とは異なったトラヒックを発生させる無線局が接続する。たとえば、センサーやガスメータ、電気メータといった各種の据え置き型の非モバイルデバイスが、セルラ網に接続し通信を行うような通信形態が想定されている。このような通信は、マシンタイプコミュニケーション（Ｍａｃｈｉｎｅ−ｔｙｐｅ  Ｃｏｍｍｕｎｉｃａｔｉｏｎ）と呼ばれる。
【００３５】
マシンタイプコミュニケーションにおいて発生するトラヒックの性質の一つとして定時通信が挙げられる。たとえば、電気メータやガスメータが、電力やガスの使用量についての定期的報告をサーバへ送信する。マシンタイプコミュニケーションにおいて発生するトラヒックの別の性質として、トラヒック量が比較的少ない、という性質も挙げられる。
【００３６】
マシンタイプコミュニケーションにおいて発生するトラヒックのさらに別の性質として、非モバイルデバイスは動かないという性質があり、移動通信のポイントであるモビリティを考慮したシステム設計が重要な要素ではなくなる。
【００３７】
（実施の形態２）
（無線通信システムの動作）
図２は、実施の形態２にかかる無線通信システムの動作の一例を示すシーケンス図である。実施の形態２にかかる無線局１０１および基地局１０２は、たとえば以下の各ステップを実行する。まず、基地局１０２が、無線局１０１から基地局１０２への上りデータの送信に用いる無線パラメータを無線局１０１へ送信する（ステップＳ２０１）。無線パラメータの送信は、たとえば、無線局１０１と基地局１０２との間のＲＲＣ（Ｒａｄｉｏ  Ｒｅｓｏｕｒｃｅ  Ｃｏｎｔｒｏｌ：無線リソース制御）の接続動作の下り制御信号（たとえばＲＲＣコネクションセットアップ）において行うことができる。
【００３８】
ステップＳ２０１によって通知される無線パラメータには、たとえば、無線リソース（周波数リソース）や、変調方式や符号化方式などの通信方式のパラメータなどが含まれる。つぎに、無線局１０１および基地局１０２が、ステップＳ２０１によって送信された無線パラメータを自身に設定する（ステップＳ２０２）。
【００３９】
つぎに、無線局１０１は、基地局１０２へ送信すべき上りデータ１１１が発生（到着）すると、スケジューリングリクエストを基地局１０２へ送信する（ステップＳ２０３）。ステップＳ２０３におけるスケジューリングリクエストの送信は、たとえばＰＵＣＣＨによって行われる。
【００４０】
つぎに、基地局１０２が、ステップＳ２０２によって設定した無線パラメータによって無線局１０１が上りデータ１１１を送信することを許可する場合は、ＡＣＫ（Ａｃｋｎｏｗｌｅｄｇｅｍｅｎｔ：肯定信号）を無線局１０１へ送信する（ステップＳ２０４）。ステップＳ２０４によるＡＣＫの送信は、たとえばＰＨＩＣＨ（Ｐｈｙｓｉｃａｌ  ＨＡＲＱ  Ｉｎｄｉｃａｔｏｒ  Ｃｈａｎｎｅｌ：物理ＨＡＲＱインジケータチャネル）によって行われる。また、ステップＳ２０４によるＡＣＫの送信は、たとえばステップＳ２０３においてスケジューリングリクエストを受信してから一定時間経過時に行われる。
【００４１】
つぎに、無線局１０１が、ステップＳ２０２によって設定した無線パラメータによって、上りデータ１１１を基地局１０２へ送信する（ステップＳ２０５）。ステップＳ２０５による上りデータ１１１の送信は、たとえばＰＵＳＣＨによって行われる。また、ステップＳ２０５による上りデータ１１１の送信は、たとえばステップＳ２０４においてＡＣＫを受信してから一定時間経過時に行われる。
【００４２】
なお、基地局１０２は、無線局１０１が上りデータ１１１を送信することを許可しない場合は、ステップＳ２０４において、たとえばＰＨＩＣＨによりＮＡＣＫ（Ｎｏｎ−ａｃｋｎｏｗｌｅｄｇｅｍｅｎｔ：否定信号）を無線局１０１へ送信する。この場合は、ステップＳ２０５による上りデータ１１１の送信は行われない。この場合に、無線局１０１は、たとえばスケジューリングリクエストを基地局１０２へ再送する。
【００４３】
無線局１０１がスケジューリングリクエストを再送するタイミングは、たとえば、最も早いＰＵＣＣＨタイミングとすることができる。または、無線局１０１は、所定期間待機してから（バックオフ）スケジューリングリクエストを再送してもよい。これにより、基地局１０２の負荷が高いためにＮＡＣＫが送信された場合に、基地局１０２の負荷が低くなってからスケジューリングリクエストを再送することができる。スケジューリングリクエストを再送するまで待機する期間については、たとえば、所定の上限時間（たとえば１００［ｍｓ］）を基地局１０２から無線局１０１へ通知しておき、無線局１０１は、上限時間以内のランダムな時間だけ待機するようにしてもよい。
【００４４】
以降、無線局１０１および基地局１０２は、未送信の上りデータ１１１がなくなるまで、ステップＳ２０３〜Ｓ２０５と同様の動作を行う。
【００４５】
基地局１０２がステップＳ２０３においてスケジューリングリクエストを受信してからステップＳ２０４によってＡＣＫを送信するまでの期間は、たとえば４［ｍｓ］とすることができる。この理由は、基地局１０２が、ＰＨＩＣＨを送信するための周波数リソースを、受信したＰＵＣＣＨのリソースを基に算出するためである。つまり、スケジューリングリクエストに対してＰＨＩＣＨを送信する間隔が長すぎると、他の無線局はその間にＰＵＣＣＨを送信できないため、ＰＵＣＣＨのリソース利用率が低下する。また、ＰＨＩＣＨの送信間隔が短すぎると、基地局１０２がＰＨＩＣＨの送信処理を行うことができない。
【００４６】
または、基地局１０２がステップＳ２０３においてスケジューリングリクエストを受信してからステップＳ２０４によってＡＣＫを送信するまでの期間は、４［ｍｓ］よりも大きくしてもよい。これにより、たとえば、基地局１０２の下りトラヒック負荷が高い場合に、負荷が低くなるまでＰＨＩＣＨの送信を遅延させることができる。
【００４７】
無線局１０１がステップＳ２０４においてＡＣＫを受信してからステップＳ２０５によって上りデータ１１１を送信するまでの期間は、たとえば４［ｍｓ］とすることができる。この理由は、ＡＣＫの受信から上りデータ１１１の送信までの期間が４［ｍｓ］よりも長いと、上りデータ１１１の送信遅延が生じるためである。また、ＡＣＫの受信から上りデータ１１１の送信までの期間が４［ｍｓ］よりも短いと、無線局１０１の信号処理が間に合わないためである。
【００４８】
（無線通信システムのＲＲＣ接続動作）
図３は、無線通信システムのＲＲＣ接続動作の一例を示すシーケンス図である。無線通信システムの無線局１０１および基地局１０２は、無線局１０１に対して基地局１０２によってＰＵＣＣＨのＳＲリソースが割り当てられている場合に、ＲＲＣ接続動作としてたとえば以下の各ステップを実行する。
【００４９】
まず、無線局１０１が、無線局１０１の識別子や接続の理由を含むＲＲＣコネクションリクエスト（ＲＲＣ  Ｃｏｎｎｅｃｔｉｏｎ  Ｒｅｑｕｅｓｔ：呼接続要求）を基地局１０２へ送信する（ステップＳ３０１）。また、無線局１０１は、ステップＳ３０１のＲＲＣコネクションリクエストによって、無線局１０１が非モバイルデバイスであることを基地局１０２へ通知する。
【００５０】
これに対して、基地局１０２は、ＲＲＣコネクションリクエストから取得した無線局１０１の識別子に基づいて、どの無線局が接続してきたのかを認識する。そして、基地局１０２は、ＲＲＣのセットアップを試みるため、無線パラメータを含むＲＲＣコネクションセットアップ（ＲＲＣ  Ｃｏｎｎｅｃｔｉｏｎ  Ｓｅｔｕｐ：呼接続設定）を無線局１０１へ送信する（ステップＳ３０２）。
【００５１】
これに対して、無線局１０１は、ＲＲＣコネクションセットアップに含まれる無線パラメータの設定を完了すると、ＲＲＣコネクションセットアップコンプリート（ＲＲＣ  Ｃｏｎｎｅｃｔｉｏｎ  Ｓｅｔｕｐ  Ｃｏｍｐｌｅｔｅ：呼接続設定完了）を基地局１０２へ送信する（ステップＳ３０３）。これにより、無線局１０１と基地局１０２との間のＲＲＣコネクションが確立され、無線局１０１および基地局１０２のＲＲＣ状態がアイドルモードからコネクティッドモードへ遷移する。
【００５２】
ステップＳ３０１における無線局１０１が非モバイルデバイスであることの通知には、たとえばＲＲＣコネクションリクエストにおける「ｄｅｌａｙ  Ｔｏｌｅｒａｎｔ  Ａｃｃｅｓｓ−ｖ１０２０」を使用することができる。または、無線局１０１が非モバイルデバイスであることの通知には、ＲＲＣコネクションリクエストに新たに規定したパラメータを用いてもよい。たとえば、ＲＲＣコネクションリクエストの「ｓｐａｒｅ２」フィールドに「ｎｍ−Ａｃｃｅｓｓ」（ｎｏｎ  ｍｏｂｉｌｅ  ａｃｃｅｓｓ）を規定し、「ｎｍ−Ａｃｃｅｓｓ」によって無線局１０１が非モバイルデバイスであることの通知を行ってもよい。
【００５３】
また、無線通信システムの無線局１０１および基地局１０２は、無線局１０１に対して基地局１０２によってＰＵＣＣＨのＳＲリソースが割り当てられていない場合は、ランダムアクセスを行った後にＲＲＣ接続動作を実行する。
【００５４】
（無線局の構成）
図４は、無線局の構成の一例を示す図である。図４に示すように、無線局１０１は、たとえば、制御部４１０と、通信部４２１と、アンテナ４２２と、を備えている。通信部４２１は、アンテナ４２２を介して無線伝送される信号の送受信処理を行う。
【００５５】
制御部４１０は、無線局１０１の各種制御を行う。制御部４１０は、たとえばベースバンド信号を処理するベースバンド処理部である。制御部４１０は、ＰＨＹ制御部４１１と、ＭＡＣ制御部４１２と、ＲＲＣ制御部４１３と、上り送信制御部４１４と、を含む。
【００５６】
ＰＨＹ制御部４１１は、無線伝送を行う場合の信号を処理する。たとえば、ＰＨＹ制御部４１１は、基地局１０２によって通知された変調方式や符号化方式によって、ＰＵＣＣＨで送信する制御信号フォーマットの生成や、ＰＵＳＣＨで送信するデータ信号フォーマットの生成を行う。
【００５７】
ＭＡＣ制御部４１２は、基地局１０２によって指示された周波数リソースやタイミングに基づいたデータのスケジューリングに関する処理を行う。たとえば、ＭＡＣ制御部４１２は、上りデータのバッファリングや、ＢＳＲのトリガ生成、スケジューリングリクエストのトリガ生成などを行う。
【００５８】
ＲＲＣ制御部４１３は、無線局１０１の動作を制御する。たとえば、ＲＲＣ制御部４１３は、通信に使用する周波数リソースや通信方式の設定や、無線局１０１の通信状態管理を行う。また、ＲＲＣ制御部４１３は、通信できる状態にするために、ＲＲＣアイドルモードからＲＲＣコネクティッドモードに遷移させる処理や、適切な基地局に接続するためのハンドオーバ処理などを行う。また、ＲＲＣ制御部４１３は、ＲＲＣコネクションリクエストによって、無線局１０１が非モバイルデバイスであることを基地局１０２へ通知する処理を行う。
【００５９】
上り送信制御部４１４は、無線局１０１の上り送信の制御を行う。たとえば、上り送信制御部４１４は、ＭＡＣ制御部４１２によってＢＳＲトリガにより上り送信が要求されると、基地局１０２に対する上り送信要求の制御を行う。また、上り送信制御部４１４は、基地局１０２によってＰＵＣＣＨのＳＲリソースが割り当てられている場合はスケジューリングリクエストを送信する制御を行う。また、上り送信制御部４１４は、ＳＲリソースが割り当てられていない場合は、ランダムアクセスの制御を行う。
【００６０】
（基地局の構成）
図５は、基地局の構成の一例を示す図である。図５に示すように、基地局１０２は、制御部５１０と、通信部５２１と、アンテナ５２２と、有線インタフェース５２３と、を備えている。通信部５２１は、アンテナ５２２を介して無線伝送される信号を送受信する。また、通信部５２１は、上位装置との通信のため、有線インタフェース５２３を介して有線伝送される信号を送受信する。
【００６１】
制御部５１０は、基地局１０２の各種制御を行う。制御部５１０は、たとえばベースバンド信号を処理するベースバンド処理部である。制御部５１０は、ＰＨＹ制御部５１１と、ＭＡＣ制御部５１２と、ＲＲＣ制御部５１３と、上り送信制御部５１４と、を含む。
【００６２】
ＰＨＹ制御部５１１は、無線伝送を行う場合の信号を処理する。たとえば、ＰＨＹ制御部５１１は、無線信号の変調方式や符号化方式を決定する。また、ＰＨＹ制御部５１１は、ＰＵＣＣＨを受信した場合の制御信号フォーマットの再構築や、ＰＵＳＣＨで受信した場合のデータ信号フォーマットの再構築を行う。また、ＰＨＹ制御部５１１は、上り送信要求を受信した場合に、上り送信許可を与えるための信号を生成する。
【００６３】
ＭＡＣ制御部５１２は、データのスケジューリングに関する処理を行う。たとえば、ＭＡＣ制御部５１２は、ＢＳＲの内容を解析して無線局１０１に滞留しているデータ量を見積もる。
【００６４】
ＲＲＣ制御部５１３は、基地局１０２の動作を制御する。たとえば、ＲＲＣ制御部５１３は、通信に使用する周波数リソースや通信方式の設定や、基地局１０２の通信状態管理を行う。たとえば、ＲＲＣ制御部５１３は、通信できる状態にするために、アイドルモードからコネクティッドモードに遷移させる処理や、適切な基地局に接続するためのハンドオーバ処理を行う。また、ＲＲＣ制御部５１３は、ＲＲＣコネクションリクエストによって、無線局１０１が非モバイルデバイスであることを示す情報を取得する。
【００６５】
上り送信制御部５１４は、無線局１０１の上り送信の制御を行う。たとえば、上り送信制御部５１４は、無線局１０１の種別やトラヒックタイプを判別し、判別結果に基づいてＲＲＣ状態管理を制御する。また、上り送信制御部５１４は、ＰＨＹ制御部５１１によって上り送信要求が検出されると、無線局１０１に対する上り送信許可の制御を行う。
【００６６】
（無線局の動作）
図６は、実施の形態２にかかる無線局の動作の一例を示すフローチャートである。実施の形態２にかかる無線局１０１は、たとえば以下の各ステップを実行する。まず、無線局１０１は、基地局１０２との間の呼設定を行う（ステップＳ６０１）。たとえば、無線局１０１は、基地局１０２との間の呼設定を図３に示した動作によって行う。また、無線局１０１は、ステップＳ６０１の呼設定におけるＲＲＣコネクションリクエストによって、無線局１０１が非モバイルデバイスであることを基地局１０２へ通知する。
【００６７】
つぎに、無線局１０１は、ステップＳ６０１の呼設定において基地局１０２から取得した無線パラメータを事前設定する（ステップＳ６０２）。ステップＳ６０２において事前設定される無線パラメータには、たとえば、周波数リソースや、変調方式や符号化方式などの通信方式のパラメータが含まれる。
【００６８】
つぎに、無線局１０１は、基地局１０２へ送信すべき上りデータが発生したか否かを判断し（ステップＳ６０３）、上りデータが発生するまで待つ（ステップＳ６０３：Ｎｏのループ）。上りデータが発生すると（ステップＳ６０３：Ｙｅｓ）、無線局１０１は、ＰＵＣＣＨによってスケジューリングリクエストを基地局１０２へ送信する（ステップＳ６０４）。
【００６９】
つぎに、無線局１０１は、ＰＨＩＣＨにより、ステップＳ６０４によって送信したスケジューリングリクエストに対するＡＣＫを基地局１０２から受信したか否かを判断する（ステップＳ６０５）。ＡＣＫを受信していない場合（ステップＳ６０５：Ｎｏ）は、無線局１０１は、所定時間待機し（ステップＳ６０６）、ステップＳ６０４へ戻る。これにより、無線局１０１は、基地局１０２からＡＣＫを受信するまで所定時間ごとにスケジューリングリクエストを送信することができる（バックオフ）。
【００７０】
ステップＳ６０５において、ＡＣＫを受信した場合（ステップＳ６０５：Ｙｅｓ）は、無線局１０１は、ＰＵＳＣＨにより上りデータを基地局１０２へ送信し（ステップＳ６０７）、ステップＳ６０３へ戻る。ステップＳ６０７における上りデータの送信には、ステップＳ６０２において設定された無線パラメータが用いられる。
【００７１】
（基地局の動作）
図７は、実施の形態２にかかる基地局の動作の一例を示すフローチャートである。実施の形態２にかかる基地局１０２は、たとえば以下の各ステップを実行する。まず、基地局１０２は、無線局１０１との間の呼設定を行う（ステップＳ７０１）。たとえば、基地局１０２は、無線局１０１との間の呼設定を図３に示した動作によって行う。また、基地局１０２は、ステップＳ７０１の呼設定におけるＲＲＣコネクションリクエストによって、無線局１０１が非モバイルデバイスであることを示す情報を取得する。
【００７２】
つぎに、基地局１０２は、ステップＳ７０１において取得した情報に基づいて、無線局１０１が非モバイルデバイスであるか否かを判断する（ステップＳ７０２）。無線局１０１が非モバイルデバイスである場合（ステップＳ７０２：Ｙｅｓ）は、基地局１０２は、ステップＳ７０１の呼設定によって無線局１０１へ通知した無線パラメータを事前設定する（ステップＳ７０３）。ステップＳ７０３において事前設定される無線パラメータには、たとえば、周波数リソースや、変調方式や符号化方式などの通信方式のパラメータが含まれる。
【００７３】
つぎに、基地局１０２は、ＰＵＣＣＨによって無線局１０１からスケジューリングリクエストを受信したか否かを判断し（ステップＳ７０４）、スケジューリングリクエストを受信するまで待つ（ステップＳ７０４：Ｎｏのループ）。スケジューリングリクエストを受信すると（ステップＳ７０４：Ｙｅｓ）、基地局１０２は、無線局１０１からの上りデータの送信を許可するか否かを判断する（ステップＳ７０５）。
【００７４】
ステップＳ７０５において、送信を許可しないと判断した場合（ステップＳ７０５：Ｎｏ）は、基地局１０２は、ＰＨＩＣＨによりＮＡＣＫを無線局１０１へ送信し（ステップＳ７０６）、ステップＳ７０４へ戻る。送信を許可すると判断した場合（ステップＳ７０５：Ｙｅｓ）は、基地局１０２は、ＰＨＩＣＨによりＡＣＫを無線局１０１へ送信する（ステップＳ７０７）。つぎに、基地局１０２は、ＰＵＳＣＨにより無線局１０１からの上りデータを受信し（ステップＳ７０８）、ステップＳ７０４へ戻る。
【００７５】
ステップＳ７０２において、無線局１０１が非モバイルデバイスでない場合（ステップＳ７０２：Ｎｏ）は、基地局１０２は、ＰＵＣＣＨによりスケジューリングリクエストを受信したか否かを判断し（ステップＳ７０９）、スケジューリングリクエストを受信するまで待つ（ステップＳ７０９：Ｎｏのループ）。スケジューリングリクエストを受信すると（ステップＳ７０９：Ｙｅｓ）、基地局１０２は、無線局１０１からの上りデータの送信を許可するか否かを判断する（ステップＳ７１０）。
【００７６】
ステップＳ７１０において、送信を許可しないと判断した場合（ステップＳ７１０：Ｎｏ）は、基地局１０２は、ステップＳ７０９へ戻る。送信を許可すると判断した場合（ステップＳ７１０：Ｙｅｓ）は、基地局１０２は、ＰＤＣＣＨにより送信許可を無線局１０１へ送信する（ステップＳ７１１）。つぎに、基地局１０２は、ＰＵＳＣＨにより無線局１０１からの上りデータを受信し（ステップＳ７１２）、ステップＳ７０９へ戻る。
【００７７】
このように、実施の形態２にかかる無線通信システムにおいては、基地局１０２は、ＲＲＣコネクションセットアップ（第１の制御信号）によって上り送信に用いられる無線パラメータを事前に予約する。そして、基地局１０２は、無線局１０１からスケジューリングリクエスト（第２の制御信号）を受信すると、無線局１０１へＡＣＫ（第３の制御信号）を送信することによって上りデータの送信許可を与える。
【００７８】
これに対して、無線局１０１は、基地局１０２へスケジューリングリクエストを送信すると、基地局１０２からＡＣＫを受信し、ＲＲＣコネクションセットアップによって設定された無線パラメータを使用して上りデータ送信を実施する。これにより、上りデータの送信に伴う制御信号のオーバーヘッドを削減し、通信の効率化を図ることができる。たとえば、無線局１０１および基地局１０２の消費電力の低減を図ることができる。
【００７９】
たとえば、上りデータの送信ごとに周波数や通信方式をＰＤＣＣＨによって通知すると仮定し、ＰＤＣＣＨのアグリゲーションレベル（Ａｇｇｒｅｇａｔｉｏｎ  Ｌｅｖｅｌ）２とすると、ＰＤＣＣＨのサイズは１４４ビットとなる。これに対して、実施の形態２にかかる無線通信システムによれば、上りデータの送信の許可または不許可を通知すればよいため、上りデータの送信ごとの制御信号にたとえばＰＨＩＣＨを用いることができる。ＰＨＩＣＨの制御信号のサイズはたとえば１２ビットであるため、上りデータの送信ごとにＰＤＣＣＨを送信する場合に比べて制御信号のオーバーヘッドを抑えることができる。
【００８０】
また、たとえば上りデータの送信許可をＰＵＣＣＨによって送信する方式では、上りデータの到着が頻繁に発生し、レギュラーＢＳＲが頻繁にトリガされると、特にＢＳＲを送信するための上り送信許可信号のシグナリングオーバーヘッドが増加する。これに対して、実施の形態２にかかる無線通信システムによれば、事前に設定した周波数や通信方式で上りデータを送信することにより、上りデータの送信に伴う制御信号のオーバーヘッドを削減し、通信を効率化することができる。
【００８１】
（実施の形態３）
実施の形態３にかかる無線通信システムにおいて、実施の形態２にかかる無線通信システムと異なる部分について説明する。
【００８２】
実施の形態３にかかる無線局１０１は、非モバイルデバイスであることの通知をＵＥケイパビリティ（ＵＥ  Ｃａｐａｂｉｌｉｔｙ）によって基地局１０２へ通知する。ＵＥケイパビリティは、たとえばＬＴＥ  Ｒｅｌ−１０に規定されており、無線局１０１がいずれのカテゴリに属するかを基地局１０２に通知する情報である。これにより、無線局１０１は、無線局１０１の通信能力を基地局１０２に通知することができる。
【００８３】
たとえば、非モバイルデバイス向けに「Ｃａｔｅｇｏｒｙ  ９」というカテゴリを新設し、データサイズなどの値を「Ｃａｔｅｇｏｒｙ  １」より小さく（たとえば１／８）に設定することができる。そして、無線局１０１は、「Ｃａｔｅｇｏｒｙ  ９」を示すＵＥケイパビリティを基地局１０２へ送信する。これにより、基地局１０２は、無線局１０１が、通信のデータサイズが小さい非モバイルデバイスであると判断することができる。
【００８４】
たとえば、基地局１０２は、たとえば呼設定時に、ＵＥケイパビリティの通知を要求するＵＥケイパビリティインクワィアリ（ＵＥ  Ｃａｐａｂｉｌｉｔｙ  Ｅｎｑｕｉｒｙ）を無線局１０１へ送信する。これに対して、無線局１０１は、「Ｃａｔｅｇｏｒｙ  ９」を含むＵＥケイパビリティインクワィアリインフォメーションを基地局１０２へ送信する。これにより、基地局１０２は、「Ｃａｔｅｇｏｒｙ  ９」を示すＵＥケイパビリティを取得し、基地局１０２が非モバイルデバイスであると判断することができる。
【００８５】
このように、実施の形態３にかかる無線通信システムによれば、無線局１０１は、非モバイルデバイスであることをＵＥケイパビリティによって基地局１０２へ通知することができる。
【００８６】
（実施の形態４）
実施の形態４にかかる無線通信システムにおいて、実施の形態２または実施の形態３にかかる無線通信システムと異なる部分について説明する。
【００８７】
無線局１０１が非モバイルデバイスであっても、ヘルスメータやセキュリティーセンサなどの非モバイルデバイスは不動ではない場合がある。これに対して、基地局１０２は、アクティベーション（活性化信号：Ａｃｔｉｖａｔｉｏｎ）およびデアクティベーション（非活性化信号：Ｄｅａｃｔｉｖａｔｉｏｎ）を無線局１０１へ送信する。アクティベーションは、事前に設定した無線パラメータにより上りデータの送信を行うモードへの移行を指示する信号である。デアクティベーションは、上りデータの送信ごとに無線パラメータを設定するモードへの移行を指示する第３の制御信号である。
【００８８】
基地局１０２は、たとえば、無線局１０１が非モバイルデバイスでなくても、ＵＥケイパビリティのカテゴリに「Ｃａｔｅｇｏｒｙ  ９」が設定されている場合には、無線局１０１から送信されるデータのサイズが小さいと判断することができる。この場合は、基地局１０２は、無線局１０１が非モバイルデバイスでなくても、無線局１０１へアクティベーションを送信することによって、事前に設定した無線パラメータにより上りデータの送信を行うモードへ移行する。
【００８９】
また、基地局１０２は、事前に設定した無線パラメータにより上りデータの送信を行うモードによって通信を行っていたが、上りデータの送信ごとに無線パラメータを設定するモードへ移行する場合には、無線局１０１へデアクティベーションを送信する。
【００９０】
基地局１０２からのアクティベーションまたはデアクティベーションの送信は、たとえばＰＨＹ制御部５１１またはＭＡＣ制御部５１２によるＰＤＣＣＨの送信によって行うことができる。無線局１０１によるアクティベーションまたはデアクティベーションの受信は、たとえばＰＨＹ制御部４１１またはＭＡＣ制御部４１２によるＰＤＣＣＨの受信によって行うことができる。
【００９１】
基地局１０２によるアクティベーションを送信するか否かの判断は、たとえば無線局１０１の移動状態などの状態に基づいて行うことができる。たとえば、基地局１０２は、無線局１０１の移動速度を示す情報を無線局１０１から取得し、無線局１０１の移動速度が一定時間以上、閾値以下である場合は、無線局１０１が移動していないと判断し、アクティベーションを送信すると判断する。また、たとえば、無線局１０１が定期的に送信するＳＲＳ（Ｓｏｕｎｄｉｎｇ  Ｒｅｆｅｒｅｎｃｅ  Ｓｉｇｎａｌ）などの上り信号を基に、ドップラー周波数などを推定することによって、移動速度が推定できる。
【００９２】
（無線通信システムの動作）
図８は、実施の形態４にかかる無線通信システムの動作の一例を示すシーケンス図である。実施の形態４にかかる無線通信システムの無線局１０１および基地局１０２は、たとえば以下の各ステップを実行する。
【００９３】
図８に示すステップＳ８０１，Ｓ８０２は、図２に示したステップＳ２０１，Ｓ２０２と同様である。ステップＳ８０２のつぎに、基地局１０２が、アクティベーションを無線局１０１へ送信する（ステップＳ８０３）。これにより、無線局１０１および基地局１０２が、事前に設定した無線パラメータにより上りデータの送信を行うモードへ移行する。
【００９４】
図８に示すステップＳ８０４〜Ｓ８０６は、図２に示したステップＳ２０３〜Ｓ２０５と同様である。基地局１０２は、任意のタイミングで、デアクティベーションを無線局１０１へ送信する（ステップＳ８０７）。これにより、事前に設定した無線パラメータにより上りデータの送信を行うモードが解放され、無線局１０１および基地局１０２は、上りデータの送信ごとに無線パラメータを設定するモードへ移行する。
【００９５】
アクティベーションおよびデアクティベーションを通知する制御信号には、たとえばＰＤＣＣＨを用いることができる。または、アクティベーションおよびデアクティベーションを通知する制御信号には、ＭＡＣレイヤの制御信号であるＭＡＣ  ＣＥ（Ｃｏｎｔｒｏｌ  Ｅｌｅｍｅｎｔ）を用いることができる。
【００９６】
（ＭＡＣ  ＣＥの送受信動作）
図９は、ＭＡＣ  ＣＥの送受信動作の一例を示すシーケンス図である。アクティベーションおよびデアクティベーションを通知する制御信号にＭＡＣ  ＣＥを用いる場合は、無線局１０１および基地局１０２はたとえば以下の各ステップを実行する。
【００９７】
基地局１０２は、無線局１０１が非モバイルデバイスでないがＵＥケイパビリティのカテゴリに「Ｃａｔｅｇｏｒｙ  ９」が設定されている場合に、アクティベーションを通知するＭＡＣ  ＣＥを無線局１０１へ送信する（ステップＳ９０１）。つぎに、無線局１０１が、ステップＳ９０１によって送信されたＭＡＣ  ＣＥに対する応答信号であるＡＣＫを基地局１０２へ送信する（ステップＳ９０２）。これにより、無線局１０１および基地局１０２が、事前に設定した無線パラメータにより上りデータの送信を行うモードへ移行する。
【００９８】
また、基地局１０２は、事前に設定した無線パラメータにより上りデータの送信を行うモードを終了する場合に、デアクティベーションを通知するＭＡＣ  ＣＥを無線局１０１へ送信する（ステップＳ９０３）。つぎに、無線局１０１が、ステップＳ９０３によって送信されたＭＡＣ  ＣＥに対する応答信号であるＡＣＫを基地局１０２へ送信する（ステップＳ９０４）。これにより、無線局１０１および基地局１０２が、上りデータの送信ごとに無線パラメータを設定するモードへ移行する。
【００９９】
（無線局の動作）
図１０は、実施の形態４にかかる無線局の動作の一例を示すフローチャートである。無線局１０１が非モバイルデバイスである場合は、実施の形態４にかかる無線局１０１は、たとえば図６に示した各ステップを実行する。無線局１０１が非モバイルデバイスでない場合は、実施の形態４にかかる無線局１０１は、たとえば以下の各ステップを実行する。
【０１００】
図１０に示すステップＳ１００１〜Ｓ１００４は、図６に示したステップＳ６０１〜Ｓ６０４と同様である。ステップＳ１００４のつぎに、無線局１０１は、アクティベーション中か否かを判断する（ステップＳ１００５）。具体的には、無線局１０１は、基地局１０２からのアクティベーションを受信し、その後に基地局１０２からのデアクティベーションを受信していない場合にはアクティベーション中であると判断する。また、無線局１０１は、基地局１０２からのアクティベーションを受信していないか、基地局１０２からのデアクティベーションを受信した後に基地局１０２からのアクティベーションを受信していない場合にはアクティベーション中でないと判断する。
【０１０１】
ステップＳ１００５において、アクティベーション中でない場合（ステップＳ１００５：Ｎｏ）は、無線局１０１は、基地局１０２からのＰＤＣＣＨを受信し（ステップＳ１００６）、ステップＳ１００９へ移行する。アクティベーション中である場合（ステップＳ１００５：Ｙｅｓ）は、無線局１０１は、ステップＳ１００７へ移行する。
【０１０２】
図１０に示すステップＳ１００７〜Ｓ１００９は、図６に示したステップＳ６０５〜Ｓ６０７と同様である。ただし、ステップＳ１００６からステップＳ１００９へ移行した場合は、ステップＳ１００９における上りデータの送信には、ステップＳ１００６によって受信したＰＤＣＣＨによって基地局１０２から指示された無線パラメータが用いられる。
【０１０３】
（基地局の動作）
図１１は、実施の形態４にかかる基地局の動作の一例を示すフローチャートである。実施の形態４にかかる基地局１０２は、たとえば以下の各ステップを実行する。図１１に示すステップＳ１１０１〜Ｓ１１０９は、図７に示したステップＳ７０１〜Ｓ７０９と同様である。ステップＳ１１０９において、スケジューリングリクエストを受信すると（ステップＳ１１０９：Ｙｅｓ）、基地局１０２は、アクティベーション中であるか否かを判断する（ステップＳ１１１０）。
【０１０４】
具体的には、基地局１０２は、無線局１０１へアクティベーションを送信し、その後に無線局１０１へデアクティベーションを送信していない場合にはアクティベーション中であると判断する。また、基地局１０２は、無線局１０１へアクティベーションを送信していないか、無線局１０１へデアクティベーションを送信した後に無線局１０１へアクティベーションを送信していない場合にはアクティベーション中でないと判断する。
【０１０５】
ステップＳ１１１０において、アクティベーション中でない場合（ステップＳ１１１０：Ｎｏ）は、基地局１０２は、ステップＳ１１１１へ移行する。図１１に示すステップＳ１１１１〜Ｓ１１１３は、図７に示したステップＳ７１０〜Ｓ７１２と同様である。
【０１０６】
ステップＳ１１１０において、アクティベーション中である場合（ステップＳ１１１０：Ｙｅｓ）は、基地局１０２は、無線局１０１が非モバイルデバイスである場合と同様の動作を行う。すなわち、基地局１０２は、無線局１０１からの上りデータの送信を許可するか否かを判断する（ステップＳ１１１４）。
【０１０７】
ステップＳ１１１４において、送信を許可しないと判断した場合（ステップＳ１１１４：Ｎｏ）は、基地局１０２は、ＰＨＩＣＨによりＮＡＣＫを無線局１０１へ送信し（ステップＳ１１１５）、ステップＳ１１０９へ戻る。送信を許可すると判断した場合（ステップＳ１１１４：Ｙｅｓ）は、基地局１０２は、ＰＨＩＣＨによりＡＣＫを無線局１０１へ送信する（ステップＳ１１１６）。つぎに、基地局１０２は、ＰＵＳＣＨにより無線局１０１からの上りデータを受信し（ステップＳ１１１７）、ステップＳ１１０９へ戻る。
【０１０８】
このように、実施の形態４にかかる無線通信システムによれば、無線局１０１が非モバイルデバイス（特定の種別の無線局）でない場合に、無線局１０１の状態（たとえば移動状態）に応じて無線パラメータの設定の方法を切り替えることができる。具体的には、無線局１０１の状態に応じて、第１の制御信号によって設定した無線パラメータにより上りデータの送信を行う状態と、第１の制御信号によって設定した無線パラメータによらずに上りデータの送信を行う状態と、を切り替えることができる。
【０１０９】
これにより、無線局１０１が非モバイルデバイスでない場合は、無線局１０１の状態に応じて、事前に設定した無線パラメータにより上りデータの送信を行うモードと、上りデータの送信ごとに無線パラメータを設定するモードと、を切り替えることができる。たとえば、無線局１０１が移動していない場合は、事前に設定した無線パラメータにより上りデータの送信を行うモードとすることにより通信の効率化を図ることができる。また、無線局１０１が移動している場合は、上りデータの送信ごとに無線パラメータを設定するモードとすることにより通信品質の向上を図ることができる。
【０１１０】
（ハードウェア構成）
図１２は、無線局のハードウェア構成の一例を示す図である。上述した各実施の形態にかかる無線局１０１は、たとえば図１２に示す通信装置１２００により実現することができる。通信装置１２００は、表示部１２０１と、入力部１２０２と、コミュニケーションインタフェース１２０３と、アンテナ１２０４と、無線通信部１２０５と、ロム１２０６と、プロセッサ１２０７と、メインメモリ１２０８と、バス１２２０と、を備えている。
【０１１１】
表示部１２０１、入力部１２０２、コミュニケーションインタフェース１２０３、無線通信部１２０５、ロム１２０６およびメインメモリ１２０８は、バス１２２０によってプロセッサ１２０７と接続されている。
【０１１２】
表示部１２０１は、操作者に対して情報を表示するユーザインタフェースである。表示部１２０１は、たとえば液晶画面である。入力部１２０２は、操作者からの情報の入力を受け付けるユーザインタフェースである。入力部１２０２は、たとえばキーパッドなどである。通信装置１２００の操作者は、表示部１２０１および入力部１２０２を用いて電話番号の入力などの通信装置１２００の操作を行う。
【０１１３】
コミュニケーションインタフェース１２０３は、たとえば、スピーカおよびマイクなどである。通信装置１２００の操作者は、コミュニケーションインタフェース１２０３を用いて音声通話などを行う。
【０１１４】
アンテナ１２０４は、無線通信部１２０５に接続されている。無線通信部１２０５は、プロセッサ１２０７の制御により、アンテナ１２０４を介して無線通信を行う。
【０１１５】
ロム１２０６は、たとえば、各種の処理を実行するためのプログラムを記憶している。プロセッサ１２０７は、ロム１２０６に記憶されている各種プログラムを読み出し、読み出したプログラムをメインメモリ１２０８に展開して各種の処理を実行する。プロセッサ１２０７には、たとえばＣＰＵ（Ｃｅｎｔｒａｌ  Ｐｒｏｃｅｓｓｉｎｇ  Ｕｎｉｔ：中央処理装置）やＦＰＧＡ（Ｆｉｅｌｄ  Ｐｒｏｇｒａｍｍａｂｌｅ  Ｇａｔｅ  Ａｒｒａｙ）などを用いることができる。
【０１１６】
図４に示したアンテナ４２２は、たとえばアンテナ１２０４によって実現することができる。図４に示した通信部４２１は、たとえばプロセッサ１２０７および無線通信部１２０５によって実現することができる。図４に示した制御部４１０は、たとえばロム１２０６、プロセッサ１２０７およびメインメモリ１２０８によって実現することができる。
【０１１７】
図１３は、基地局のハードウェア構成の一例を示す図である。上述した各実施の形態にかかる基地局１０２は、たとえば図１３に示す通信装置１３００によって実現することができる。通信装置１３００は、表示部１３０１と、入力部１３０２と、コミュニケーションインタフェース１３０３と、アンテナ１３０４と、無線通信部１３０５と、ロム１３０６と、プロセッサ１３０７と、メインメモリ１３０８と、ストレージ１３０９と、バス１３２０と、を備えている。
【０１１８】
表示部１３０１、入力部１３０２、コミュニケーションインタフェース１３０３、無線通信部１３０５、ロム１３０６、メインメモリ１３０８およびストレージ１３０９は、バス１３２０によってプロセッサ１３０７と接続されている。
【０１１９】
表示部１３０１は、操作者に対して情報を表示するユーザインタフェースである。表示部１３０１は、たとえばモニタである。入力部１３０２は、操作者からの情報の入力を受け付けるユーザインタフェースである。入力部１３０２は、たとえばキーボードなどである。通信装置１３００の操作者は、表示部１３０１および入力部１３０２を用いて設定プログラムの入力などの通信装置１３００の操作を行う。
【０１２０】
コミュニケーションインタフェース１３０３は、たとえば、上位局との通信を行うための通信インタフェースである。コミュニケーションインタフェース１３０３は、たとえばネットワークボードやＡＤＣ（Ａｎａｌｏｇ／Ｄｉｇｉｔａｌ  Ｃｏｎｖｅｒｔｅｒ：アナログ／デジタル変換器）などである。
【０１２１】
アンテナ１３０４は、無線通信部１３０５に接続されている。無線通信部１３０５は、プロセッサ１３０７の制御により、アンテナ１３０４を介して無線通信を行う。
【０１２２】
ロム１３０６は、たとえば、各種の処理を実行するためのプログラムを記憶している。プロセッサ１３０７は、ロム１３０６に記憶されている各種プログラムを読み出し、読み出したプログラムをメインメモリ１３０８に展開して各種の処理を実行する。プロセッサ１３０７には、たとえばＣＰＵやＦＰＧＡなどを用いることができる。ストレージ１３０９は、たとえばハードディスクなどの記憶装置である。たとえば、ストレージ１３０９およびプロセッサ１３０７によってバッファなどの機能が実現される。
【０１２３】
図５に示したアンテナ５２２は、たとえばアンテナ１３０４によって実現することができる。図５に示した有線インタフェース５２３は、たとえばコミュニケーションインタフェース１３０３によって実現することができる。図５に示した通信部５２１は、たとえばプロセッサ１３０７および無線通信部１３０５によって実現することができる。図５に示した制御部５１０は、たとえばロム１３０６、プロセッサ１３０７およびメインメモリ１３０８によって実現することができる。
【０１２４】
以上説明したように、無線通信システム、無線局、基地局および通信方法によれば、通信の効率化を図ることができる。
【符号の説明】
【０１２５】
１０１  無線局
１０２  基地局
１１１  上りデータ
４１０，５１０  制御部
４１１，５１１  ＰＨＹ制御部
４１２，５１２  ＭＡＣ制御部
４１３，５１３  ＲＲＣ制御部
４１４，５１４  上り送信制御部
４２１，５２１  通信部
４２２，５２２，１２０４，１３０４  アンテナ
５２３  有線インタフェース
１２００，１３００  通信装置
１２０１，１３０１  表示部
１２０２，１３０２  入力部
１２０３，１３０３  コミュニケーションインタフェース
１２０５，１３０５  無線通信部
１２０６，１３０６  ロム
１２０７，１３０７  プロセッサ
１２０８，１３０８  メインメモリ
１２２０，１３２０  バス
１３０９  ストレージ
【図１】
2013190669.tif 000003
【図２】
2013190669.tif 000004
【図３】
2013190669.tif 000005
【図４】
2013190669.tif 000006
【図５】
2013190669.tif 000007
【図６】
2013190669.tif 000008
【図７】
2013190669.tif 000009
【図８】
2013190669.tif 000010
【図９】
2013190669.tif 000011
【図１０】
2013190669.tif 000012
【図１１】
2013190669.tif 000013
【図１２】
2013190669.tif 000014
【図１３】
2013190669.tif 000015
【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
基地局と無線局とを含む無線通信システムであって、
前記基地局は、前記無線局へ送信する第１の制御信号によって上りデータの送信に用いられる周波数リソースおよび通信方式の少なくとも一方を含む無線パラメータを事前に予約し、前記無線局から第２の制御信号を受信すると、前記無線局へ第３の制御信号を送信することによって上りデータの送信許可を与え、
前記無線局は、前記基地局へ前記第２の制御信号を送信すると、前記基地局から前記第３の制御信号を受信し、前記基地局から受信した前記第１の制御信号によって設定された無線パラメータを使用して前記基地局への上りデータの送信を実施することを特徴とする無線通信システム。
【請求項２】
前記第１の制御信号によって設定された無線パラメータを使用して、複数回の前記上りデータの送信を実施することを特徴とする請求項１に記載の無線通信システム。
【請求項３】
前記第１の制御信号は、前記無線パラメータの複数の候補を含み、
前記無線局は、前記複数の候補から選択した無線パラメータを使用して前記上りデータの送信を実施することを特徴とする請求項１または２に記載の無線通信システム。
【請求項４】
前記無線局の状態に応じて、前記第１の制御信号によって設定された無線パラメータに基づいて前記上りデータの送信を行う状態と、前記第１の制御信号によって設定された無線パラメータによらずに前記上りデータの送信を行う状態と、を切り替えることを特徴とする請求項１〜３のいずれか一つに記載の無線通信システム。
【請求項５】
前記第３の制御信号は、前記上りデータの送信を許可するか否かを示す肯定信号または否定信号であることを特徴とする請求項１〜３のいずれか一つに記載の無線通信システム。
【請求項６】
前記基地局は、前記第３の制御信号をＰＨＩＣＨ（Ｐｈｙｓｉｃａｌ  ＨＡＲＱ  Ｉｎｄｉｃａｔｏｒ  Ｃｈａｎｎｅｌ：物理ＨＡＲＱインジケータチャネル）によって送信することを特徴とする請求項５に記載の無線通信システム。
【請求項７】
前記基地局は、前記第２の制御信号を受信してから一定時間経過時に前記第３の制御信号を送信することを特徴とする請求項１〜６のいずれか一つに記載の無線通信システム。
【請求項８】
上りデータの送信に用いられる周波数リソースおよび通信方式の少なくとも一方を含む無線パラメータが事前に設定されて基地局と無線通信を行う無線局であって、
前記無線パラメータの設定に用いられる第１の制御信号を前記基地局から受信し、上りデータが発生して第２の制御信号を前記基地局へ送信すると、第３の制御信号を前記基地局から受信する通信部と、
前記第３の制御信号を受信すると、事前に設定された前記無線パラメータを使用して前記上りデータを前記基地局へ送信するように制御する制御部と、
を有することを特徴とする無線局。
【請求項９】
上りデータの送信に用いられる周波数リソースおよび通信方式の少なくとも一方を含む無線パラメータを事前に設定して無線局と無線通信を行う基地局であって、
前記無線パラメータを事前設定するのに用いられる第１の制御信号を前記無線局へ送信し、第２の制御信号を前記無線局から受信し、第３の制御信号を前記無線局へ送信する通信部と、
前記第３の制御信号を送信すると、事前に設定された前記無線パラメータを使用して前記上りデータを前記無線局から受信するように制御する制御部と、
を有することを特徴とする基地局。
【請求項１０】
上りデータの送信に用いられる周波数リソースおよび通信方式の少なくとも一方を含む無線パラメータが事前に設定されて基地局と無線通信を行う無線局における通信方法であって、
前記無線パラメータの設定に用いられる第１の制御信号を前記基地局から受信し、上りデータが発生して第２の制御信号を前記基地局へ送信すると、第３の制御信号を前記基地局から受信し、
前記第３の制御信号を受信すると、事前に設定された前記無線パラメータを使用して前記上りデータを前記基地局へ送信する、
ことを特徴とする通信方法。
【請求項１１】
上りデータの送信に用いられる周波数リソースおよび通信方式の少なくとも一方を含む無線パラメータを事前に設定して無線局と無線通信を行う基地局における通信方法であって、
前記無線パラメータを事前設定するのに用いられる第１の制御信号を前記無線局へ送信し、第２の制御信号を前記無線局から受信し、第３の制御信号を前記無線局へ送信し、
前記第３の制御信号を送信すると、事前に設定された前記無線パラメータを使用して前記上りデータを前記無線局から受信する、
ことを特徴とする通信方法。
【手続補正２】
【補正対象書類名】明細書
【補正対象項目名】全文
【補正方法】変更
【補正の内容】
【発明の詳細な説明】
【技術分野】
【０００１】
本発明は、無線通信システム、無線局、基地局および通信方法に関する。
【背景技術】
【０００２】
従来、たとえば３ＧＰＰ（３ｒｄ  Ｇｅｎｅｒａｔｉｏｎ  Ｐａｒｔｎｅｒｓｈｉｐ  Ｐｒｏｊｅｃｔ）において、無線通信システムの上り通信を実施するための方式の一例としてスケジューリングリクエスト（ＳＲ：Ｓｃｈｅｄｕｌｉｎｇ  Ｒｅｑｕｅｓｔ）方式が規定されている（たとえば、下記特許文献１および非特許文献１参照。）。
【０００３】
スケジューリングリクエスト方式においては、無線局は、上りデータの到着を検出し、レギュラーＢＳＲ（Ｒｅｇｕｌａｒ  Ｂｕｆｆｅｒ  Ｓｔａｔｕｓ  Ｒｅｐｏｒｔｉｎｇ）を送信する場合に、スケジューリングリクエストを基地局へ送信する。レギュラーＢＳＲは、ＱｏＳ（Ｑｕａｌｉｔｙ  ｏｆ  Ｓｅｒｖｉｃｅ）が高いデータや新規データの到着時に送信される。
【０００４】
また、無線局は、上り制御チャネルであるＰＵＣＣＨ（Ｐｈｙｓｉｃａｌ  Ｕｐｌｉｎｋ  Ｃｏｎｔｒｏｌ  Ｃｈａｎｎｅｌ：物理上りリンク制御チャネル）でＳＲリソースが割り当てられていれば、ＰＵＣＣＨによってスケジューリングリクエストを基地局へ送信する。また、無線局は、ＰＵＣＣＨでＳＲリソースが割り当てられていなければ、ランダムアクセスによって上りデータのスケジューリングを基地局に要求する。
【０００５】
基地局は、無線局からスケジューリングリクエストを受信すると、下り制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ：物理下りリンク制御チャネル）によって無線局に上り送信許可を与える。
【０００６】
たとえば、基地局は、無線局に到着しているデータ量を把握するために、ＢＳＲを送信できる程度の上りリソースを無線局に割り当てる。これに対して、無線局は、基地局から割り当てられた上りリソースによってＢＳＲを報告する。これにより、基地局は、無線局に到着したデータ量を把握し、以降、ＰＤＣＣＨにより上り送信許可を与える。
【０００７】
無線局は、上り送信許可が通知されると、ＰＤＣＣＨによって指定された無線パラメータを用いて上りデータをＰＵＳＣＨ（Ｐｈｙｓｉｃａｌ  Ｕｐｌｉｎｋ  Ｓｈａｒｅｄ  Ｃｈａｎｎｅｌ：物理上りリンク共有チャネル）で送信する。無線パラメータには、たとえば周波数リソース、変調方式、符号化方式などのパラメータが含まれる。
【先行技術文献】
【特許文献】
【０００８】
【特許文献１】国際公開第２００９／１２８２８５号
【非特許文献】
【０００９】
【非特許文献１】３ＧＰＰ  ＴＳ３６．３２１、“Ｍｅｄｉｕｍ  Ａｃｃｅｓｓ  Ｃｏｎｔｒｏｌ（ＭＡＣ）  ｐｒｏｔｏｃｏｌ  ｓｐｅｃｉｆｉｃａｔｉｏｎ”、Ｖ１０．４．０、Ｒｅｌｅａｓｅ１０、２０１１年１２月
【発明の概要】
【発明が解決しようとする課題】
【００１０】
しかしながら、上述した従来技術では、上りデータの送信ごとに制御信号のオーバーヘッドが生じるため、上りデータの送信が頻繁に行われると効率よく通信を行うことができない場合がある。
【００１１】
本発明は、上述した従来技術による問題点を解消するため、通信の効率化を図ることができる無線通信システム、無線局、基地局および通信方法を提供することを目的とする。
【課題を解決するための手段】
【００１２】
上述した課題を解決し、目的を達成するため、本発明の一側面によれば、基地局が、第１の制御信号によって上り送信に用いられる周波数リソースを事前に予約し、第２の制御信号を受信すると、第３の制御信号を送信することによって上りデータの送信許可を与え、無線局が、前記第２の制御信号を送信すると、前記第３の制御信号を受信し、前記第１の制御信号によって設定された周波数リソースを使用して上りデータ送信を実施する無線通信システム、無線局、基地局および通信方法が提案される。
【発明の効果】
【００１３】
本発明の一側面によれば、通信の効率化を図ることができるという効果を奏する。
【図面の簡単な説明】
【００１４】
【図１】図１は、実施の形態１にかかる無線通信システムの動作の一例を示すシーケンス図である。
【図２】図２は、実施の形態２にかかる無線通信システムの動作の一例を示すシーケンス図である。
【図３】図３は、無線通信システムのＲＲＣ接続動作の一例を示すシーケンス図である。
【図４】図４は、無線局の構成の一例を示す図である。
【図５】図５は、基地局の構成の一例を示す図である。
【図６】図６は、実施の形態２にかかる無線局の動作の一例を示すフローチャートである。
【図７】図７は、実施の形態２にかかる基地局の動作の一例を示すフローチャートである。
【図８】図８は、実施の形態４にかかる無線通信システムの動作の一例を示すシーケンス図である。
【図９】図９は、ＭＡＣ  ＣＥの送受信動作の一例を示すシーケンス図である。
【図１０】図１０は、実施の形態４にかかる無線局の動作の一例を示すフローチャートである。
【図１１】図１１は、実施の形態４にかかる基地局の動作の一例を示すフローチャートである。
【図１２】図１２は、無線局のハードウェア構成の一例を示す図である。
【図１３】図１３は、基地局のハードウェア構成の一例を示す図である。
【発明を実施するための形態】
【００１５】
以下に図面を参照して、本発明にかかる無線通信システム、無線局、基地局および通信方法の実施の形態を詳細に説明する。
【００１６】
（実施の形態１）
（無線通信システム）
図１は、実施の形態１にかかる無線通信システムの動作の一例を示すシーケンス図である。実施の形態１にかかる無線通信システムは、図１に示す無線局１０１と基地局１０２とを含んでいる。基地局１０２は、たとえばｅＮＢ（ｅｖｏｌｖｅｄ  Ｎｏｄｅ  Ｂ）である。無線局１０１は、たとえばＵＥ（Ｕｓｅｒ  Ｅｑｕｉｐｍｅｎｔ：ユーザ端末）である。無線局１０１と基地局１０２は互いに無線通信を行う。
【００１７】
まず、基地局１０２が、第１の制御信号を無線局１０１へ送信する（ステップＳ１０１）。具体的には、基地局１０２は、無線局１０１から基地局１０２への上りデータの送信に用いる無線パラメータを決定し、決定した無線パラメータを含む第１の制御信号を無線局１０１へ送信する。無線パラメータには、周波数リソース（無線リソース）と、変調方式や符号化方式などの通信方式と、の少なくとも一方のパラメータが含まれる。つぎに、無線局１０１および基地局１０２が、ステップＳ１０１によって送信された第１の制御信号が示す無線パラメータを自身に設定する（ステップＳ１０２）。
【００１８】
つぎに、無線局１０１が、基地局１０２へ送信すべき上りデータが発生した場合に、第２の制御信号を基地局１０２へ送信する（ステップＳ１０３）。第２の制御信号は、ステップＳ１０２によって設定した無線パラメータによる上りデータの送信の許可を基地局１０２に要求する信号である。
【００１９】
つぎに、基地局１０２が、第３の制御信号を無線局１０１へ送信する（ステップＳ１０４）。第３の制御信号は、ステップＳ１０２によって設定した無線パラメータによる上りデータの送信を許可するか否かを示す信号である。たとえば、基地局１０２は、無線局１０１による上りデータの送信を許可する場合は、上りデータの送信を許可する旨の第３の制御信号を無線局１０１へ送信する。
【００２０】
これに対して、無線局１０１は、ステップＳ１０２によって設定した無線パラメータによって上りデータを基地局１０２へ送信する（ステップＳ１０５）。なお、基地局１０２は、無線局１０１による上りデータの送信を許可しない場合は、ステップＳ１０４において、上りデータの送信を許可しない旨の第３の制御信号を無線局１０１へ送信する。この場合は、無線局１０１は、ステップＳ１０５による上りデータの送信を行わない。
【００２１】
つぎに、無線局１０１は、未送信の上りデータが残っていたり、上りデータが新たに発生したりした場合に、第２の制御信号を基地局１０２へ送信する（ステップＳ１０６）。つぎに、基地局１０２が、第３の制御信号を無線局１０１へ送信する（ステップＳ１０７）。たとえば、基地局１０２は、無線局１０１による上りデータの送信を許可する場合は、上りデータの送信を許可する旨の第３の制御信号を無線局１０１へ送信する。
【００２２】
これに対して、無線局１０１は、ステップＳ１０２によって設定した無線パラメータによって上りデータを基地局１０２へ送信する（ステップＳ１０８）。なお、基地局１０２は、無線局１０１による上りデータの送信を許可しない場合は、ステップＳ１０７において、上りデータの送信を許可しない旨の第３の制御信号を無線局１０１へ送信する。この場合は、無線局１０１は、ステップＳ１０８による上りデータの送信を行わない。
【００２３】
以降、無線局１０１および基地局１０２は、上りデータの送信ごとに、ステップＳ１０６〜Ｓ１０８と同様の動作を行う。
【００２４】
このように、事前（通信開始時）に設定した無線パラメータで無線局１０１から基地局１０２へ上りデータを送信することにより、上りデータの送信に伴う制御信号のオーバーヘッドを削減することができる。たとえば、ステップＳ１０５，Ｓ１０８において上りデータを送信する場合に無線パラメータを新たに基地局１０２から無線局１０１へ通知しなくてもよいため、上りデータの送信に伴う制御信号のオーバーヘッドを削減することができる。このため、通信の効率化を図ることができる。たとえば、無線局１０１および基地局１０２の消費電力の低減を図ることができる。
【００２５】
無線局１０１は、たとえば、少量の上りデータを定期的に送信する無線通信装置である。この場合は、上りデータの送信のたびに無線パラメータを基地局１０２から無線局１０１へ通知すると、送信する上りデータに対する制御信号のオーバーヘッドの比率が大きくなり、効率よく通信を行うことができない。これに対して、無線局１０１および基地局１０２は、事前に設定した無線パラメータで複数回の上りデータの送信を行うことによって、送信する上りデータに対する制御信号のオーバーヘッドの比率が小さくなり、効率よく通信を行うことができる。
【００２６】
また、たとえば、無線局１０１は、特定の場所に固定されて無線通信を行う据え置き型の無線通信装置である。この場合は、無線局１０１と基地局１０２との間の無線環境の変動は小さい。このため、上りデータを送信するたびに無線パラメータを更新しなくても、無線局１０１と基地局１０２との間で安定して無線通信を行うことができる。
【００２７】
また、第１の制御信号には、上りデータの送信に用いる無線パラメータの複数の候補が含まれていてもよい。この場合は、無線局１０１は、上りデータの送信に、複数の候補から任意に選択した無線パラメータを用いる。これに対して、基地局１０２は、複数の候補のうちのいずれの無線パラメータによって上りデータが送信されても受信できるように受信動作を行う。これにより、上りデータを送信するたびに無線パラメータを通知して更新しなくても、状況に応じて無線局１０１が無線パラメータを選択して上りデータを送信することができる。このため、無線パラメータの設定の自由度を向上させることができる。
【００２８】
なお、ここでは、一例として無線局１０１および基地局１０２を含む無線通信システムについて説明するが、無線通信システムの構成はこれに限らない。たとえば、図１に示した無線通信システムにおいて、無線局１０１に代えて中継局を設けた構成としてもよい。または、図１に示した無線通信システムにおいて、基地局１０２に代えて中継局を設けた構成としてもよい。
【００２９】
このように、実施の形態１にかかる無線通信システムにおいては、基地局１０２は、第１の制御信号によって上り送信に用いられる無線パラメータを事前に予約する。そして、基地局１０２は、無線局１０１から第２の制御信号を受信すると、無線局１０１へ第３の制御信号を送信することによって上りデータの送信許可を与える。
【００３０】
これに対して、無線局１０１は、基地局１０２へ第２の制御信号を送信すると、基地局１０２から第３の制御信号を受信し、第１の制御信号によって設定された無線パラメータを使用して上りデータ送信を実施する。これにより、上りデータの送信に伴う制御信号のオーバーヘッドを削減し、通信の効率化を図ることができる。たとえば、無線局１０１および基地局１０２の消費電力の低減を図ることができる。
【００３１】
＜無線通信システムが適用されるシステムの一例について＞
つぎに、図１に示した無線通信システムが適用されるシステムの一例について説明する。図１に示した無線通信システムは、たとえばＬＴＥ（Ｌｏｎｇ  Ｔｅｒｍ  Ｅｖｏｌｕｔｉｏｎ）に適用することができる。ＬＴＥでは、無線アクセス技術としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）をベースとした方式が規定されている。
【００３２】
ＬＴＥでは、下りのピーク伝送レートが１００［Ｍｂ／ｓ］以上、上りのピーク伝送レートが５０［Ｍｂ／ｓ］以上の高速無線パケット通信が可能となる。国際標準化団体である３ＧＰＰでは、さらなる高速通信の実現に向けて、ＬＴＥをベースとした移動無線通信システムＬＴＥ−Ａ（ＬＴＥ−Ａｄｖａｎｃｅｄ）の検討が始まっている。
【００３３】
図１に示した無線通信システムは、ＬＴＥ−Ａに適用することもできる。ＬＴＥ−Ａでは、下りのピーク伝送レートは１［Ｇｂ／ｓ］、上りのピーク伝送レートは５００［Ｍｂ／ｓ］が目標とされており、無線アクセス方式やネットワークアーキテクチャなどの技術の検討が行われている。
【００３４】
ＬＴＥ−Ａ（またはＬＴＥ  Ｒｅｌ−１１）では、従来とは異なったトラヒックを発生させる無線局が接続する。たとえば、センサーやガスメータ、電気メータといった各種の据え置き型の非モバイルデバイスが、セルラ網に接続し通信を行うような通信形態が想定されている。このような通信は、マシンタイプコミュニケーション（Ｍａｃｈｉｎｅ−ｔｙｐｅ  Ｃｏｍｍｕｎｉｃａｔｉｏｎ）と呼ばれる。
【００３５】
マシンタイプコミュニケーションにおいて発生するトラヒックの性質の一つとして定時通信が挙げられる。たとえば、電気メータやガスメータが、電力やガスの使用量についての定期的報告をサーバへ送信する。マシンタイプコミュニケーションにおいて発生するトラヒックの別の性質として、トラヒック量が比較的少ない、という性質も挙げられる。
【００３６】
マシンタイプコミュニケーションにおいて発生するトラヒックのさらに別の性質として、非モバイルデバイスは動かないという性質があり、移動通信のポイントであるモビリティを考慮したシステム設計が重要な要素ではなくなる。
【００３７】
（実施の形態２）
（無線通信システムの動作）
図２は、実施の形態２にかかる無線通信システムの動作の一例を示すシーケンス図である。実施の形態２にかかる無線局１０１および基地局１０２は、たとえば以下の各ステップを実行する。まず、基地局１０２が、無線局１０１から基地局１０２への上りデータの送信に用いる無線パラメータを無線局１０１へ送信する（ステップＳ２０１）。無線パラメータの送信は、たとえば、無線局１０１と基地局１０２との間のＲＲＣ（Ｒａｄｉｏ  Ｒｅｓｏｕｒｃｅ  Ｃｏｎｔｒｏｌ：無線リソース制御）の接続動作の下り制御信号（たとえばＲＲＣコネクションセットアップ）において行うことができる。
【００３８】
ステップＳ２０１によって通知される無線パラメータには、たとえば、無線リソース（周波数リソース）や、変調方式や符号化方式などの通信方式のパラメータなどが含まれる。つぎに、無線局１０１および基地局１０２が、ステップＳ２０１によって送信された無線パラメータを自身に設定する（ステップＳ２０２）。
【００３９】
つぎに、無線局１０１は、基地局１０２へ送信すべき上りデータ１１１が発生（到着）すると、スケジューリングリクエストを基地局１０２へ送信する（ステップＳ２０３）。ステップＳ２０３におけるスケジューリングリクエストの送信は、たとえばＰＵＣＣＨによって行われる。
【００４０】
つぎに、基地局１０２が、ステップＳ２０２によって設定した無線パラメータによって無線局１０１が上りデータ１１１を送信することを許可する場合は、ＡＣＫ（Ａｃｋｎｏｗｌｅｄｇｅｍｅｎｔ：肯定信号）を無線局１０１へ送信する（ステップＳ２０４）。ステップＳ２０４によるＡＣＫの送信は、たとえばＰＨＩＣＨ（Ｐｈｙｓｉｃａｌ  ＨＡＲＱ  Ｉｎｄｉｃａｔｏｒ  Ｃｈａｎｎｅｌ：物理ＨＡＲＱインジケータチャネル）によって行われる。また、ステップＳ２０４によるＡＣＫの送信は、たとえばステップＳ２０３においてスケジューリングリクエストを受信してから一定時間経過時に行われる。
【００４１】
つぎに、無線局１０１が、ステップＳ２０２によって設定した無線パラメータによって、上りデータ１１１を基地局１０２へ送信する（ステップＳ２０５）。ステップＳ２０５による上りデータ１１１の送信は、たとえばＰＵＳＣＨによって行われる。また、ステップＳ２０５による上りデータ１１１の送信は、たとえばステップＳ２０４においてＡＣＫを受信してから一定時間経過時に行われる。
【００４２】
なお、基地局１０２は、無線局１０１が上りデータ１１１を送信することを許可しない場合は、ステップＳ２０４において、たとえばＰＨＩＣＨによりＮＡＣＫ（Ｎｏｎ−ａｃｋｎｏｗｌｅｄｇｅｍｅｎｔ：否定信号）を無線局１０１へ送信する。この場合は、ステップＳ２０５による上りデータ１１１の送信は行われない。この場合に、無線局１０１は、たとえばスケジューリングリクエストを基地局１０２へ再送する。
【００４３】
無線局１０１がスケジューリングリクエストを再送するタイミングは、たとえば、最も早いＰＵＣＣＨタイミングとすることができる。または、無線局１０１は、所定期間待機してから（バックオフ）スケジューリングリクエストを再送してもよい。これにより、基地局１０２の負荷が高いためにＮＡＣＫが送信された場合に、基地局１０２の負荷が低くなってからスケジューリングリクエストを再送することができる。スケジューリングリクエストを再送するまで待機する期間については、たとえば、所定の上限時間（たとえば１００［ｍｓ］）を基地局１０２から無線局１０１へ通知しておき、無線局１０１は、上限時間以内のランダムな時間だけ待機するようにしてもよい。
【００４４】
以降、無線局１０１および基地局１０２は、未送信の上りデータ１１１がなくなるまで、ステップＳ２０３〜Ｓ２０５と同様の動作を行う。
【００４５】
基地局１０２がステップＳ２０３においてスケジューリングリクエストを受信してからステップＳ２０４によってＡＣＫを送信するまでの期間は、たとえば４［ｍｓ］とすることができる。この理由は、基地局１０２が、ＰＨＩＣＨを送信するための周波数リソースを、受信したＰＵＣＣＨのリソースを基に算出するためである。つまり、スケジューリングリクエストに対してＰＨＩＣＨを送信する間隔が長すぎると、他の無線局はその間にＰＵＣＣＨを送信できないため、ＰＵＣＣＨのリソース利用率が低下する。また、ＰＨＩＣＨの送信間隔が短すぎると、基地局１０２がＰＨＩＣＨの送信処理を行うことができない。
【００４６】
または、基地局１０２がステップＳ２０３においてスケジューリングリクエストを受信してからステップＳ２０４によってＡＣＫを送信するまでの期間は、４［ｍｓ］よりも大きくしてもよい。これにより、たとえば、基地局１０２の下りトラヒック負荷が高い場合に、負荷が低くなるまでＰＨＩＣＨの送信を遅延させることができる。
【００４７】
無線局１０１がステップＳ２０４においてＡＣＫを受信してからステップＳ２０５によって上りデータ１１１を送信するまでの期間は、たとえば４［ｍｓ］とすることができる。この理由は、ＡＣＫの受信から上りデータ１１１の送信までの期間が４［ｍｓ］よりも長いと、上りデータ１１１の送信遅延が生じるためである。また、ＡＣＫの受信から上りデータ１１１の送信までの期間が４［ｍｓ］よりも短いと、無線局１０１の信号処理が間に合わないためである。
【００４８】
（無線通信システムのＲＲＣ接続動作）
図３は、無線通信システムのＲＲＣ接続動作の一例を示すシーケンス図である。無線通信システムの無線局１０１および基地局１０２は、無線局１０１に対して基地局１０２によってＰＵＣＣＨのＳＲリソースが割り当てられている場合に、ＲＲＣ接続動作としてたとえば以下の各ステップを実行する。
【００４９】
まず、無線局１０１が、無線局１０１の識別子や接続の理由を含むＲＲＣコネクションリクエスト（ＲＲＣ  Ｃｏｎｎｅｃｔｉｏｎ  Ｒｅｑｕｅｓｔ：呼接続要求）を基地局１０２へ送信する（ステップＳ３０１）。また、無線局１０１は、ステップＳ３０１のＲＲＣコネクションリクエストによって、無線局１０１が非モバイルデバイスであることを基地局１０２へ通知する。
【００５０】
これに対して、基地局１０２は、ＲＲＣコネクションリクエストから取得した無線局１０１の識別子に基づいて、どの無線局が接続してきたのかを認識する。そして、基地局１０２は、ＲＲＣのセットアップを試みるため、無線パラメータを含むＲＲＣコネクションセットアップ（ＲＲＣ  Ｃｏｎｎｅｃｔｉｏｎ  Ｓｅｔｕｐ：呼接続設定）を無線局１０１へ送信する（ステップＳ３０２）。
【００５１】
これに対して、無線局１０１は、ＲＲＣコネクションセットアップに含まれる無線パラメータの設定を完了すると、ＲＲＣコネクションセットアップコンプリート（ＲＲＣ  Ｃｏｎｎｅｃｔｉｏｎ  Ｓｅｔｕｐ  Ｃｏｍｐｌｅｔｅ：呼接続設定完了）を基地局１０２へ送信する（ステップＳ３０３）。これにより、無線局１０１と基地局１０２との間のＲＲＣコネクションが確立され、無線局１０１および基地局１０２のＲＲＣ状態がアイドルモードからコネクティッドモードへ遷移する。
【００５２】
ステップＳ３０１における無線局１０１が非モバイルデバイスであることの通知には、たとえばＲＲＣコネクションリクエストにおける「ｄｅｌａｙ  Ｔｏｌｅｒａｎｔ  Ａｃｃｅｓｓ−ｖ１０２０」を使用することができる。または、無線局１０１が非モバイルデバイスであることの通知には、ＲＲＣコネクションリクエストに新たに規定したパラメータを用いてもよい。たとえば、ＲＲＣコネクションリクエストの「ｓｐａｒｅ２」フィールドに「ｎｍ−Ａｃｃｅｓｓ」（ｎｏｎ  ｍｏｂｉｌｅ  ａｃｃｅｓｓ）を規定し、「ｎｍ−Ａｃｃｅｓｓ」によって無線局１０１が非モバイルデバイスであることの通知を行ってもよい。
【００５３】
また、無線通信システムの無線局１０１および基地局１０２は、無線局１０１に対して基地局１０２によってＰＵＣＣＨのＳＲリソースが割り当てられていない場合は、ランダムアクセスを行った後にＲＲＣ接続動作を実行する。
【００５４】
（無線局の構成）
図４は、無線局の構成の一例を示す図である。図４に示すように、無線局１０１は、たとえば、制御部４１０と、通信部４２１と、アンテナ４２２と、を備えている。通信部４２１は、アンテナ４２２を介して無線伝送される信号の送受信処理を行う。
【００５５】
制御部４１０は、無線局１０１の各種制御を行う。制御部４１０は、たとえばベースバンド信号を処理するベースバンド処理部である。制御部４１０は、ＰＨＹ制御部４１１と、ＭＡＣ制御部４１２と、ＲＲＣ制御部４１３と、上り送信制御部４１４と、を含む。
【００５６】
ＰＨＹ制御部４１１は、無線伝送を行う場合の信号を処理する。たとえば、ＰＨＹ制御部４１１は、基地局１０２によって通知された変調方式や符号化方式によって、ＰＵＣＣＨで送信する制御信号フォーマットの生成や、ＰＵＳＣＨで送信するデータ信号フォーマットの生成を行う。
【００５７】
ＭＡＣ制御部４１２は、基地局１０２によって指示された周波数リソースやタイミングに基づいたデータのスケジューリングに関する処理を行う。たとえば、ＭＡＣ制御部４１２は、上りデータのバッファリングや、ＢＳＲのトリガ生成、スケジューリングリクエストのトリガ生成などを行う。
【００５８】
ＲＲＣ制御部４１３は、無線局１０１の動作を制御する。たとえば、ＲＲＣ制御部４１３は、通信に使用する周波数リソースや通信方式の設定や、無線局１０１の通信状態管理を行う。また、ＲＲＣ制御部４１３は、通信できる状態にするために、ＲＲＣアイドルモードからＲＲＣコネクティッドモードに遷移させる処理や、適切な基地局に接続するためのハンドオーバ処理などを行う。また、ＲＲＣ制御部４１３は、ＲＲＣコネクションリクエストによって、無線局１０１が非モバイルデバイスであることを基地局１０２へ通知する処理を行う。
【００５９】
上り送信制御部４１４は、無線局１０１の上り送信の制御を行う。たとえば、上り送信制御部４１４は、ＭＡＣ制御部４１２によってＢＳＲトリガにより上り送信が要求されると、基地局１０２に対する上り送信要求の制御を行う。また、上り送信制御部４１４は、基地局１０２によってＰＵＣＣＨのＳＲリソースが割り当てられている場合はスケジューリングリクエストを送信する制御を行う。また、上り送信制御部４１４は、ＳＲリソースが割り当てられていない場合は、ランダムアクセスの制御を行う。
【００６０】
（基地局の構成）
図５は、基地局の構成の一例を示す図である。図５に示すように、基地局１０２は、制御部５１０と、通信部５２１と、アンテナ５２２と、有線インタフェース５２３と、を備えている。通信部５２１は、アンテナ５２２を介して無線伝送される信号を送受信する。また、通信部５２１は、上位装置との通信のため、有線インタフェース５２３を介して有線伝送される信号を送受信する。
【００６１】
制御部５１０は、基地局１０２の各種制御を行う。制御部５１０は、たとえばベースバンド信号を処理するベースバンド処理部である。制御部５１０は、ＰＨＹ制御部５１１と、ＭＡＣ制御部５１２と、ＲＲＣ制御部５１３と、上り送信制御部５１４と、を含む。
【００６２】
ＰＨＹ制御部５１１は、無線伝送を行う場合の信号を処理する。たとえば、ＰＨＹ制御部５１１は、無線信号の変調方式や符号化方式を決定する。また、ＰＨＹ制御部５１１は、ＰＵＣＣＨを受信した場合の制御信号フォーマットの再構築や、ＰＵＳＣＨで受信した場合のデータ信号フォーマットの再構築を行う。また、ＰＨＹ制御部５１１は、上り送信要求を受信した場合に、上り送信許可を与えるための信号を生成する。
【００６３】
ＭＡＣ制御部５１２は、データのスケジューリングに関する処理を行う。たとえば、ＭＡＣ制御部５１２は、ＢＳＲの内容を解析して無線局１０１に滞留しているデータ量を見積もる。
【００６４】
ＲＲＣ制御部５１３は、基地局１０２の動作を制御する。たとえば、ＲＲＣ制御部５１３は、通信に使用する周波数リソースや通信方式の設定や、基地局１０２の通信状態管理を行う。たとえば、ＲＲＣ制御部５１３は、通信できる状態にするために、アイドルモードからコネクティッドモードに遷移させる処理や、適切な基地局に接続するためのハンドオーバ処理を行う。また、ＲＲＣ制御部５１３は、ＲＲＣコネクションリクエストによって、無線局１０１が非モバイルデバイスであることを示す情報を取得する。
【００６５】
上り送信制御部５１４は、無線局１０１の上り送信の制御を行う。たとえば、上り送信制御部５１４は、無線局１０１の種別やトラヒックタイプを判別し、判別結果に基づいてＲＲＣ状態管理を制御する。また、上り送信制御部５１４は、ＰＨＹ制御部５１１によって上り送信要求が検出されると、無線局１０１に対する上り送信許可の制御を行う。
【００６６】
（無線局の動作）
図６は、実施の形態２にかかる無線局の動作の一例を示すフローチャートである。実施の形態２にかかる無線局１０１は、たとえば以下の各ステップを実行する。まず、無線局１０１は、基地局１０２との間の呼設定を行う（ステップＳ６０１）。たとえば、無線局１０１は、基地局１０２との間の呼設定を図３に示した動作によって行う。また、無線局１０１は、ステップＳ６０１の呼設定におけるＲＲＣコネクションリクエストによって、無線局１０１が非モバイルデバイスであることを基地局１０２へ通知する。
【００６７】
つぎに、無線局１０１は、ステップＳ６０１の呼設定において基地局１０２から取得した無線パラメータを事前設定する（ステップＳ６０２）。ステップＳ６０２において事前設定される無線パラメータには、たとえば、周波数リソースや、変調方式や符号化方式などの通信方式のパラメータが含まれる。
【００６８】
つぎに、無線局１０１は、基地局１０２へ送信すべき上りデータが発生したか否かを判断し（ステップＳ６０３）、上りデータが発生するまで待つ（ステップＳ６０３：Ｎｏのループ）。上りデータが発生すると（ステップＳ６０３：Ｙｅｓ）、無線局１０１は、ＰＵＣＣＨによってスケジューリングリクエストを基地局１０２へ送信する（ステップＳ６０４）。
【００６９】
つぎに、無線局１０１は、ＰＨＩＣＨにより、ステップＳ６０４によって送信したスケジューリングリクエストに対するＡＣＫを基地局１０２から受信したか否かを判断する（ステップＳ６０５）。ＡＣＫを受信していない場合（ステップＳ６０５：Ｎｏ）は、無線局１０１は、所定時間待機し（ステップＳ６０６）、ステップＳ６０４へ戻る。これにより、無線局１０１は、基地局１０２からＡＣＫを受信するまで所定時間ごとにスケジューリングリクエストを送信することができる（バックオフ）。
【００７０】
ステップＳ６０５において、ＡＣＫを受信した場合（ステップＳ６０５：Ｙｅｓ）は、無線局１０１は、ＰＵＳＣＨにより上りデータを基地局１０２へ送信し（ステップＳ６０７）、ステップＳ６０３へ戻る。ステップＳ６０７における上りデータの送信には、ステップＳ６０２において設定された無線パラメータが用いられる。
【００７１】
（基地局の動作）
図７は、実施の形態２にかかる基地局の動作の一例を示すフローチャートである。実施の形態２にかかる基地局１０２は、たとえば以下の各ステップを実行する。まず、基地局１０２は、無線局１０１との間の呼設定を行う（ステップＳ７０１）。たとえば、基地局１０２は、無線局１０１との間の呼設定を図３に示した動作によって行う。また、基地局１０２は、ステップＳ７０１の呼設定におけるＲＲＣコネクションリクエストによって、無線局１０１が非モバイルデバイスであることを示す情報を取得する。
【００７２】
つぎに、基地局１０２は、ステップＳ７０１において取得した情報に基づいて、無線局１０１が非モバイルデバイスであるか否かを判断する（ステップＳ７０２）。無線局１０１が非モバイルデバイスである場合（ステップＳ７０２：Ｙｅｓ）は、基地局１０２は、ステップＳ７０１の呼設定によって無線局１０１へ通知した無線パラメータを事前設定する（ステップＳ７０３）。ステップＳ７０３において事前設定される無線パラメータには、たとえば、周波数リソースや、変調方式や符号化方式などの通信方式のパラメータが含まれる。
【００７３】
つぎに、基地局１０２は、ＰＵＣＣＨによって無線局１０１からスケジューリングリクエストを受信したか否かを判断し（ステップＳ７０４）、スケジューリングリクエストを受信するまで待つ（ステップＳ７０４：Ｎｏのループ）。スケジューリングリクエストを受信すると（ステップＳ７０４：Ｙｅｓ）、基地局１０２は、無線局１０１からの上りデータの送信を許可するか否かを判断する（ステップＳ７０５）。
【００７４】
ステップＳ７０５において、送信を許可しないと判断した場合（ステップＳ７０５：Ｎｏ）は、基地局１０２は、ＰＨＩＣＨによりＮＡＣＫを無線局１０１へ送信し（ステップＳ７０６）、ステップＳ７０４へ戻る。送信を許可すると判断した場合（ステップＳ７０５：Ｙｅｓ）は、基地局１０２は、ＰＨＩＣＨによりＡＣＫを無線局１０１へ送信する（ステップＳ７０７）。つぎに、基地局１０２は、ＰＵＳＣＨにより無線局１０１からの上りデータを受信し（ステップＳ７０８）、ステップＳ７０４へ戻る。
【００７５】
ステップＳ７０２において、無線局１０１が非モバイルデバイスでない場合（ステップＳ７０２：Ｎｏ）は、基地局１０２は、ＰＵＣＣＨによりスケジューリングリクエストを受信したか否かを判断し（ステップＳ７０９）、スケジューリングリクエストを受信するまで待つ（ステップＳ７０９：Ｎｏのループ）。スケジューリングリクエストを受信すると（ステップＳ７０９：Ｙｅｓ）、基地局１０２は、無線局１０１からの上りデータの送信を許可するか否かを判断する（ステップＳ７１０）。
【００７６】
ステップＳ７１０において、送信を許可しないと判断した場合（ステップＳ７１０：Ｎｏ）は、基地局１０２は、ステップＳ７０９へ戻る。送信を許可すると判断した場合（ステップＳ７１０：Ｙｅｓ）は、基地局１０２は、ＰＤＣＣＨにより送信許可を無線局１０１へ送信する（ステップＳ７１１）。つぎに、基地局１０２は、ＰＵＳＣＨにより無線局１０１からの上りデータを受信し（ステップＳ７１２）、ステップＳ７０９へ戻る。
【００７７】
このように、実施の形態２にかかる無線通信システムにおいては、基地局１０２は、ＲＲＣコネクションセットアップ（第１の制御信号）によって上り送信に用いられる無線パラメータを事前に予約する。そして、基地局１０２は、無線局１０１からスケジューリングリクエスト（第２の制御信号）を受信すると、無線局１０１へＡＣＫ（第３の制御信号）を送信することによって上りデータの送信許可を与える。
【００７８】
これに対して、無線局１０１は、基地局１０２へスケジューリングリクエストを送信すると、基地局１０２からＡＣＫを受信し、ＲＲＣコネクションセットアップによって設定された無線パラメータを使用して上りデータ送信を実施する。これにより、上りデータの送信に伴う制御信号のオーバーヘッドを削減し、通信の効率化を図ることができる。たとえば、無線局１０１および基地局１０２の消費電力の低減を図ることができる。
【００７９】
たとえば、上りデータの送信ごとに周波数や通信方式をＰＤＣＣＨによって通知すると仮定し、ＰＤＣＣＨのアグリゲーションレベル（Ａｇｇｒｅｇａｔｉｏｎ  Ｌｅｖｅｌ）２とすると、ＰＤＣＣＨのサイズは１４４ビットとなる。これに対して、実施の形態２にかかる無線通信システムによれば、上りデータの送信の許可または不許可を通知すればよいため、上りデータの送信ごとの制御信号にたとえばＰＨＩＣＨを用いることができる。ＰＨＩＣＨの制御信号のサイズはたとえば１２ビットであるため、上りデータの送信ごとにＰＤＣＣＨを送信する場合に比べて制御信号のオーバーヘッドを抑えることができる。
【００８０】
また、たとえば上りデータの送信許可をＰＵＣＣＨによって送信する方式では、上りデータの到着が頻繁に発生し、レギュラーＢＳＲが頻繁にトリガされると、特にＢＳＲを送信するための上り送信許可信号のシグナリングオーバーヘッドが増加する。これに対して、実施の形態２にかかる無線通信システムによれば、事前に設定した周波数や通信方式で上りデータを送信することにより、上りデータの送信に伴う制御信号のオーバーヘッドを削減し、通信を効率化することができる。
【００８１】
（実施の形態３）
実施の形態３にかかる無線通信システムにおいて、実施の形態２にかかる無線通信システムと異なる部分について説明する。
【００８２】
実施の形態３にかかる無線局１０１は、非モバイルデバイスであることの通知をＵＥケイパビリティ（ＵＥ  Ｃａｐａｂｉｌｉｔｙ）によって基地局１０２へ通知する。ＵＥケイパビリティは、たとえばＬＴＥ  Ｒｅｌ−１０に規定されており、無線局１０１がいずれのカテゴリに属するかを基地局１０２に通知する情報である。これにより、無線局１０１は、無線局１０１の通信能力を基地局１０２に通知することができる。
【００８３】
たとえば、非モバイルデバイス向けに「Ｃａｔｅｇｏｒｙ  ９」というカテゴリを新設し、データサイズなどの値を「Ｃａｔｅｇｏｒｙ  １」より小さく（たとえば１／８）に設定することができる。そして、無線局１０１は、「Ｃａｔｅｇｏｒｙ  ９」を示すＵＥケイパビリティを基地局１０２へ送信する。これにより、基地局１０２は、無線局１０１が、通信のデータサイズが小さい非モバイルデバイスであると判断することができる。
【００８４】
たとえば、基地局１０２は、たとえば呼設定時に、ＵＥケイパビリティの通知を要求するＵＥケイパビリティインクワィアリ（ＵＥ  Ｃａｐａｂｉｌｉｔｙ  Ｅｎｑｕｉｒｙ）を無線局１０１へ送信する。これに対して、無線局１０１は、「Ｃａｔｅｇｏｒｙ  ９」を含むＵＥケイパビリティインクワィアリインフォメーションを基地局１０２へ送信する。これにより、基地局１０２は、「Ｃａｔｅｇｏｒｙ  ９」を示すＵＥケイパビリティを取得し、基地局１０２が非モバイルデバイスであると判断することができる。
【００８５】
このように、実施の形態３にかかる無線通信システムによれば、無線局１０１は、非モバイルデバイスであることをＵＥケイパビリティによって基地局１０２へ通知することができる。
【００８６】
（実施の形態４）
実施の形態４にかかる無線通信システムにおいて、実施の形態２または実施の形態３にかかる無線通信システムと異なる部分について説明する。
【００８７】
無線局１０１が非モバイルデバイスであっても、ヘルスメータやセキュリティーセンサなどの非モバイルデバイスは不動ではない場合がある。これに対して、基地局１０２は、アクティベーション（活性化信号：Ａｃｔｉｖａｔｉｏｎ）およびデアクティベーション（非活性化信号：Ｄｅａｃｔｉｖａｔｉｏｎ）を無線局１０１へ送信する。アクティベーションは、事前に設定した無線パラメータにより上りデータの送信を行うモードへの移行を指示する信号である。デアクティベーションは、上りデータの送信ごとに無線パラメータを設定するモードへの移行を指示する第３の制御信号である。
【００８８】
基地局１０２は、たとえば、無線局１０１が非モバイルデバイスでなくても、ＵＥケイパビリティのカテゴリに「Ｃａｔｅｇｏｒｙ  ９」が設定されている場合には、無線局１０１から送信されるデータのサイズが小さいと判断することができる。この場合は、基地局１０２は、無線局１０１が非モバイルデバイスでなくても、無線局１０１へアクティベーションを送信することによって、事前に設定した無線パラメータにより上りデータの送信を行うモードへ移行する。
【００８９】
また、基地局１０２は、事前に設定した無線パラメータにより上りデータの送信を行うモードによって通信を行っていたが、上りデータの送信ごとに無線パラメータを設定するモードへ移行する場合には、無線局１０１へデアクティベーションを送信する。
【００９０】
基地局１０２からのアクティベーションまたはデアクティベーションの送信は、たとえばＰＨＹ制御部５１１またはＭＡＣ制御部５１２によるＰＤＣＣＨの送信によって行うことができる。無線局１０１によるアクティベーションまたはデアクティベーションの受信は、たとえばＰＨＹ制御部４１１またはＭＡＣ制御部４１２によるＰＤＣＣＨの受信によって行うことができる。
【００９１】
基地局１０２によるアクティベーションを送信するか否かの判断は、たとえば無線局１０１の移動状態などの状態に基づいて行うことができる。たとえば、基地局１０２は、無線局１０１の移動速度を示す情報を無線局１０１から取得し、無線局１０１の移動速度が一定時間以上、閾値以下である場合は、無線局１０１が移動していないと判断し、アクティベーションを送信すると判断する。また、たとえば、無線局１０１が定期的に送信するＳＲＳ（Ｓｏｕｎｄｉｎｇ  Ｒｅｆｅｒｅｎｃｅ  Ｓｉｇｎａｌ）などの上り信号を基に、ドップラー周波数などを推定することによって、移動速度が推定できる。
【００９２】
（無線通信システムの動作）
図８は、実施の形態４にかかる無線通信システムの動作の一例を示すシーケンス図である。実施の形態４にかかる無線通信システムの無線局１０１および基地局１０２は、たとえば以下の各ステップを実行する。
【００９３】
図８に示すステップＳ８０１，Ｓ８０２は、図２に示したステップＳ２０１，Ｓ２０２と同様である。ステップＳ８０２のつぎに、基地局１０２が、アクティベーションを無線局１０１へ送信する（ステップＳ８０３）。これにより、無線局１０１および基地局１０２が、事前に設定した無線パラメータにより上りデータの送信を行うモードへ移行する。
【００９４】
図８に示すステップＳ８０４〜Ｓ８０６は、図２に示したステップＳ２０３〜Ｓ２０５と同様である。基地局１０２は、任意のタイミングで、デアクティベーションを無線局１０１へ送信する（ステップＳ８０７）。これにより、事前に設定した無線パラメータにより上りデータの送信を行うモードが解放され、無線局１０１および基地局１０２は、上りデータの送信ごとに無線パラメータを設定するモードへ移行する。
【００９５】
アクティベーションおよびデアクティベーションを通知する制御信号には、たとえばＰＤＣＣＨを用いることができる。または、アクティベーションおよびデアクティベーションを通知する制御信号には、ＭＡＣレイヤの制御信号であるＭＡＣ  ＣＥ（Ｃｏｎｔｒｏｌ  Ｅｌｅｍｅｎｔ）を用いることができる。
【００９６】
（ＭＡＣ  ＣＥの送受信動作）
図９は、ＭＡＣ  ＣＥの送受信動作の一例を示すシーケンス図である。アクティベーションおよびデアクティベーションを通知する制御信号にＭＡＣ  ＣＥを用いる場合は、無線局１０１および基地局１０２はたとえば以下の各ステップを実行する。
【００９７】
基地局１０２は、無線局１０１が非モバイルデバイスでないがＵＥケイパビリティのカテゴリに「Ｃａｔｅｇｏｒｙ  ９」が設定されている場合に、アクティベーションを通知するＭＡＣ  ＣＥを無線局１０１へ送信する（ステップＳ９０１）。つぎに、無線局１０１が、ステップＳ９０１によって送信されたＭＡＣ  ＣＥに対する応答信号であるＡＣＫを基地局１０２へ送信する（ステップＳ９０２）。これにより、無線局１０１および基地局１０２が、事前に設定した無線パラメータにより上りデータの送信を行うモードへ移行する。
【００９８】
また、基地局１０２は、事前に設定した無線パラメータにより上りデータの送信を行うモードを終了する場合に、デアクティベーションを通知するＭＡＣ  ＣＥを無線局１０１へ送信する（ステップＳ９０３）。つぎに、無線局１０１が、ステップＳ９０３によって送信されたＭＡＣ  ＣＥに対する応答信号であるＡＣＫを基地局１０２へ送信する（ステップＳ９０４）。これにより、無線局１０１および基地局１０２が、上りデータの送信ごとに無線パラメータを設定するモードへ移行する。
【００９９】
（無線局の動作）
図１０は、実施の形態４にかかる無線局の動作の一例を示すフローチャートである。無線局１０１が非モバイルデバイスである場合は、実施の形態４にかかる無線局１０１は、たとえば図６に示した各ステップを実行する。無線局１０１が非モバイルデバイスでない場合は、実施の形態４にかかる無線局１０１は、たとえば以下の各ステップを実行する。
【０１００】
図１０に示すステップＳ１００１〜Ｓ１００４は、図６に示したステップＳ６０１〜Ｓ６０４と同様である。ステップＳ１００４のつぎに、無線局１０１は、アクティベーション中か否かを判断する（ステップＳ１００５）。具体的には、無線局１０１は、基地局１０２からのアクティベーションを受信し、その後に基地局１０２からのデアクティベーションを受信していない場合にはアクティベーション中であると判断する。また、無線局１０１は、基地局１０２からのアクティベーションを受信していないか、基地局１０２からのデアクティベーションを受信した後に基地局１０２からのアクティベーションを受信していない場合にはアクティベーション中でないと判断する。
【０１０１】
ステップＳ１００５において、アクティベーション中でない場合（ステップＳ１００５：Ｎｏ）は、無線局１０１は、基地局１０２からのＰＤＣＣＨを受信し（ステップＳ１００６）、ステップＳ１００９へ移行する。アクティベーション中である場合（ステップＳ１００５：Ｙｅｓ）は、無線局１０１は、ステップＳ１００７へ移行する。
【０１０２】
図１０に示すステップＳ１００７〜Ｓ１００９は、図６に示したステップＳ６０５〜Ｓ６０７と同様である。ただし、ステップＳ１００６からステップＳ１００９へ移行した場合は、ステップＳ１００９における上りデータの送信には、ステップＳ１００６によって受信したＰＤＣＣＨによって基地局１０２から指示された無線パラメータが用いられる。
【０１０３】
（基地局の動作）
図１１は、実施の形態４にかかる基地局の動作の一例を示すフローチャートである。実施の形態４にかかる基地局１０２は、たとえば以下の各ステップを実行する。図１１に示すステップＳ１１０１〜Ｓ１１０９は、図７に示したステップＳ７０１〜Ｓ７０９と同様である。ステップＳ１１０９において、スケジューリングリクエストを受信すると（ステップＳ１１０９：Ｙｅｓ）、基地局１０２は、アクティベーション中であるか否かを判断する（ステップＳ１１１０）。
【０１０４】
具体的には、基地局１０２は、無線局１０１へアクティベーションを送信し、その後に無線局１０１へデアクティベーションを送信していない場合にはアクティベーション中であると判断する。また、基地局１０２は、無線局１０１へアクティベーションを送信していないか、無線局１０１へデアクティベーションを送信した後に無線局１０１へアクティベーションを送信していない場合にはアクティベーション中でないと判断する。
【０１０５】
ステップＳ１１１０において、アクティベーション中でない場合（ステップＳ１１１０：Ｎｏ）は、基地局１０２は、ステップＳ１１１１へ移行する。図１１に示すステップＳ１１１１〜Ｓ１１１３は、図７に示したステップＳ７１０〜Ｓ７１２と同様である。
【０１０６】
ステップＳ１１１０において、アクティベーション中である場合（ステップＳ１１１０：Ｙｅｓ）は、基地局１０２は、無線局１０１が非モバイルデバイスである場合と同様の動作を行う。すなわち、基地局１０２は、無線局１０１からの上りデータの送信を許可するか否かを判断する（ステップＳ１１１４）。
【０１０７】
ステップＳ１１１４において、送信を許可しないと判断した場合（ステップＳ１１１４：Ｎｏ）は、基地局１０２は、ＰＨＩＣＨによりＮＡＣＫを無線局１０１へ送信し（ステップＳ１１１５）、ステップＳ１１０９へ戻る。送信を許可すると判断した場合（ステップＳ１１１４：Ｙｅｓ）は、基地局１０２は、ＰＨＩＣＨによりＡＣＫを無線局１０１へ送信する（ステップＳ１１１６）。つぎに、基地局１０２は、ＰＵＳＣＨにより無線局１０１からの上りデータを受信し（ステップＳ１１１７）、ステップＳ１１０９へ戻る。
【０１０８】
このように、実施の形態４にかかる無線通信システムによれば、無線局１０１が非モバイルデバイス（特定の種別の無線局）でない場合に、無線局１０１の状態（たとえば移動状態）に応じて無線パラメータの設定の方法を切り替えることができる。具体的には、無線局１０１の状態に応じて、第１の制御信号によって設定した無線パラメータにより上りデータの送信を行う状態と、第１の制御信号によって設定した無線パラメータによらずに上りデータの送信を行う状態と、を切り替えることができる。
【０１０９】
これにより、無線局１０１が非モバイルデバイスでない場合は、無線局１０１の状態に応じて、事前に設定した無線パラメータにより上りデータの送信を行うモードと、上りデータの送信ごとに無線パラメータを設定するモードと、を切り替えることができる。たとえば、無線局１０１が移動していない場合は、事前に設定した無線パラメータにより上りデータの送信を行うモードとすることにより通信の効率化を図ることができる。また、無線局１０１が移動している場合は、上りデータの送信ごとに無線パラメータを設定するモードとすることにより通信品質の向上を図ることができる。
【０１１０】
（ハードウェア構成）
図１２は、無線局のハードウェア構成の一例を示す図である。上述した各実施の形態にかかる無線局１０１は、たとえば図１２に示す通信装置１２００により実現することができる。通信装置１２００は、表示部１２０１と、入力部１２０２と、コミュニケーションインタフェース１２０３と、アンテナ１２０４と、無線通信部１２０５と、ロム１２０６と、プロセッサ１２０７と、メインメモリ１２０８と、バス１２２０と、を備えている。
【０１１１】
表示部１２０１、入力部１２０２、コミュニケーションインタフェース１２０３、無線通信部１２０５、ロム１２０６およびメインメモリ１２０８は、バス１２２０によってプロセッサ１２０７と接続されている。
【０１１２】
表示部１２０１は、操作者に対して情報を表示するユーザインタフェースである。表示部１２０１は、たとえば液晶画面である。入力部１２０２は、操作者からの情報の入力を受け付けるユーザインタフェースである。入力部１２０２は、たとえばキーパッドなどである。通信装置１２００の操作者は、表示部１２０１および入力部１２０２を用いて電話番号の入力などの通信装置１２００の操作を行う。
【０１１３】
コミュニケーションインタフェース１２０３は、たとえば、スピーカおよびマイクなどである。通信装置１２００の操作者は、コミュニケーションインタフェース１２０３を用いて音声通話などを行う。
【０１１４】
アンテナ１２０４は、無線通信部１２０５に接続されている。無線通信部１２０５は、プロセッサ１２０７の制御により、アンテナ１２０４を介して無線通信を行う。
【０１１５】
ロム１２０６は、たとえば、各種の処理を実行するためのプログラムを記憶している。プロセッサ１２０７は、ロム１２０６に記憶されている各種プログラムを読み出し、読み出したプログラムをメインメモリ１２０８に展開して各種の処理を実行する。プロセッサ１２０７には、たとえばＣＰＵ（Ｃｅｎｔｒａｌ  Ｐｒｏｃｅｓｓｉｎｇ  Ｕｎｉｔ：中央処理装置）やＦＰＧＡ（Ｆｉｅｌｄ  Ｐｒｏｇｒａｍｍａｂｌｅ  Ｇａｔｅ  Ａｒｒａｙ）などを用いることができる。
【０１１６】
図４に示したアンテナ４２２は、たとえばアンテナ１２０４によって実現することができる。図４に示した通信部４２１は、たとえばプロセッサ１２０７および無線通信部１２０５によって実現することができる。図４に示した制御部４１０は、たとえばロム１２０６、プロセッサ１２０７およびメインメモリ１２０８によって実現することができる。
【０１１７】
図１３は、基地局のハードウェア構成の一例を示す図である。上述した各実施の形態にかかる基地局１０２は、たとえば図１３に示す通信装置１３００によって実現することができる。通信装置１３００は、表示部１３０１と、入力部１３０２と、コミュニケーションインタフェース１３０３と、アンテナ１３０４と、無線通信部１３０５と、ロム１３０６と、プロセッサ１３０７と、メインメモリ１３０８と、ストレージ１３０９と、バス１３２０と、を備えている。
【０１１８】
表示部１３０１、入力部１３０２、コミュニケーションインタフェース１３０３、無線通信部１３０５、ロム１３０６、メインメモリ１３０８およびストレージ１３０９は、バス１３２０によってプロセッサ１３０７と接続されている。
【０１１９】
表示部１３０１は、操作者に対して情報を表示するユーザインタフェースである。表示部１３０１は、たとえばモニタである。入力部１３０２は、操作者からの情報の入力を受け付けるユーザインタフェースである。入力部１３０２は、たとえばキーボードなどである。通信装置１３００の操作者は、表示部１３０１および入力部１３０２を用いて設定プログラムの入力などの通信装置１３００の操作を行う。
【０１２０】
コミュニケーションインタフェース１３０３は、たとえば、上位局との通信を行うための通信インタフェースである。コミュニケーションインタフェース１３０３は、たとえばネットワークボードやＡＤＣ（Ａｎａｌｏｇ／Ｄｉｇｉｔａｌ  Ｃｏｎｖｅｒｔｅｒ：アナログ／デジタル変換器）などである。
【０１２１】
アンテナ１３０４は、無線通信部１３０５に接続されている。無線通信部１３０５は、プロセッサ１３０７の制御により、アンテナ１３０４を介して無線通信を行う。
【０１２２】
ロム１３０６は、たとえば、各種の処理を実行するためのプログラムを記憶している。プロセッサ１３０７は、ロム１３０６に記憶されている各種プログラムを読み出し、読み出したプログラムをメインメモリ１３０８に展開して各種の処理を実行する。プロセッサ１３０７には、たとえばＣＰＵやＦＰＧＡなどを用いることができる。ストレージ１３０９は、たとえばハードディスクなどの記憶装置である。たとえば、ストレージ１３０９およびプロセッサ１３０７によってバッファなどの機能が実現される。
【０１２３】
図５に示したアンテナ５２２は、たとえばアンテナ１３０４によって実現することができる。図５に示した有線インタフェース５２３は、たとえばコミュニケーションインタフェース１３０３によって実現することができる。図５に示した通信部５２１は、たとえばプロセッサ１３０７および無線通信部１３０５によって実現することができる。図５に示した制御部５１０は、たとえばロム１３０６、プロセッサ１３０７およびメインメモリ１３０８によって実現することができる。
【０１２４】
以上説明したように、無線通信システム、無線局、基地局および通信方法によれば、通信の効率化を図ることができる。
【０１２５】
上述した各実施の形態に関し、さらに以下の付記を開示する。
【０１２６】
（付記１）基地局と無線局とを含む無線通信システムであって、
前記基地局は、前記無線局へ送信する第１の制御信号によって上りデータの送信に用いられる周波数リソースおよび通信方式の少なくとも一方を含む無線パラメータを事前に予約し、前記無線局から第２の制御信号を受信すると、前記無線局へ第３の制御信号を送信することによって上りデータの送信許可を与え、
前記無線局は、前記基地局へ前記第２の制御信号を送信すると、前記基地局から前記第３の制御信号を受信し、前記基地局から受信した前記第１の制御信号によって設定された無線パラメータを使用して前記基地局への上りデータの送信を実施することを特徴とする無線通信システム。
【０１２７】
（付記２）前記第１の制御信号によって設定された無線パラメータを使用して、複数回の前記上りデータの送信を実施することを特徴とする付記１に記載の無線通信システム。
【０１２８】
（付記３）前記第１の制御信号は、前記無線パラメータの複数の候補を含み、
前記無線局は、前記複数の候補から選択した無線パラメータを使用して前記上りデータの送信を実施することを特徴とする付記１または２に記載の無線通信システム。
【０１２９】
（付記４）前記無線局の状態に応じて、前記第１の制御信号によって設定された無線パラメータに基づいて前記上りデータの送信を行う状態と、前記第１の制御信号によって設定された無線パラメータによらずに前記上りデータの送信を行う状態と、を切り替えることを特徴とする付記１〜３のいずれか一つに記載の無線通信システム。
【０１３０】
（付記５）前記第３の制御信号は、前記上りデータの送信を許可するか否かを示す肯定信号または否定信号であることを特徴とする付記１〜３のいずれか一つに記載の無線通信システム。
【０１３１】
（付記６）前記基地局は、前記第３の制御信号をＰＨＩＣＨ（Ｐｈｙｓｉｃａｌ  ＨＡＲＱ  Ｉｎｄｉｃａｔｏｒ  Ｃｈａｎｎｅｌ：物理ＨＡＲＱインジケータチャネル）によって送信することを特徴とする付記５に記載の無線通信システム。
【０１３２】
（付記７）前記基地局は、前記第２の制御信号を受信してから一定時間経過時に前記第３の制御信号を送信することを特徴とする付記１〜６のいずれか一つに記載の無線通信システム。
【０１３３】
（付記８）前記第２の制御信号は、前記上りデータの送信の許可を要求する信号であることを特徴とする付記１〜７のいずれか一つに記載の無線通信システム。
【０１３４】
（付記９）上りデータの送信に用いられる周波数リソースおよび通信方式の少なくとも一方を含む無線パラメータが事前に設定されて基地局と無線通信を行う無線局であって、
前記無線パラメータの設定に用いられる第１の制御信号を前記基地局から受信し、上りデータが発生して第２の制御信号を前記基地局へ送信すると、第３の制御信号を前記基地局から受信する通信部と、
前記第３の制御信号を受信すると、事前に設定された前記無線パラメータを使用して前記上りデータを前記基地局へ送信するように制御する制御部と、
を有することを特徴とする無線局。
【０１３５】
（付記１０）上りデータの送信に用いられる周波数リソースおよび通信方式の少なくとも一方を含む無線パラメータを事前に設定して無線局と無線通信を行う基地局であって、
前記無線パラメータを事前設定するのに用いられる第１の制御信号を前記無線局へ送信し、第２の制御信号を前記無線局から受信し、第３の制御信号を前記無線局へ送信する通信部と、
前記第３の制御信号を送信すると、事前に設定された前記無線パラメータを使用して前記上りデータを前記無線局から受信するように制御する制御部と、
を有することを特徴とする基地局。
【０１３６】
（付記１１）上りデータの送信に用いられる周波数リソースおよび通信方式の少なくとも一方を含む無線パラメータが事前に設定されて基地局と無線通信を行う無線局における通信方法であって、
前記無線パラメータの設定に用いられる第１の制御信号を前記基地局から受信し、上りデータが発生して第２の制御信号を前記基地局へ送信すると、第３の制御信号を前記基地局から受信し、
前記第３の制御信号を受信すると、事前に設定された前記無線パラメータを使用して前記上りデータを前記基地局へ送信する、
ことを特徴とする通信方法。
【０１３７】
（付記１２）上りデータの送信に用いられる周波数リソースおよび通信方式の少なくとも一方を含む無線パラメータを事前に設定して無線局と無線通信を行う基地局における通信方法であって、
前記無線パラメータを事前設定するのに用いられる第１の制御信号を前記無線局へ送信し、第２の制御信号を前記無線局から受信し、第３の制御信号を前記無線局へ送信し、
前記第３の制御信号を送信すると、事前に設定された前記無線パラメータを使用して前記上りデータを前記無線局から受信する、
ことを特徴とする通信方法。
【符号の説明】
【０１３８】
１０１  無線局
１０２  基地局
１１１  上りデータ
４１０，５１０  制御部
４１１，５１１  ＰＨＹ制御部
４１２，５１２  ＭＡＣ制御部
４１３，５１３  ＲＲＣ制御部
４１４，５１４  上り送信制御部
４２１，５２１  通信部
４２２，５２２，１２０４，１３０４  アンテナ
５２３  有線インタフェース
１２００，１３００  通信装置
１２０１，１３０１  表示部
１２０２，１３０２  入力部
１２０３，１３０３  コミュニケーションインタフェース
１２０５，１３０５  無線通信部
１２０６，１３０６  ロム
１２０７，１３０７  プロセッサ
１２０８，１３０８  メインメモリ
１２２０，１３２０  バス
１３０９  ストレージ
【国際調査報告】
2013190669.tif 000016
2013190669.tif 000017
2013190669.tif 000018